(57)【要約】  複数のキャリアを介するデータ送信のためのパケットレベル分割が論じられる。送信のためのデータパケットが、第１のネットワークノードによって複数のフローに分離され得、複数のフローでは、第１のフローについてのデータパケットが、キャリアの第１のセットを使用して第１のネットワークノードから第２のネットワークノードに送られ得、他のフローについてのデータパケットが、キャリアの他のセットを使用して第２のネットワークノードへの送信のための他のネットワークノードに転送され得る。キャリアの様々なセットが、第２のネットワークノードのために構成されたキャリアのセットによって決定される。【選択図】図２
2016522606.tif 000002
【特許請求の範囲】
【請求項１】
ワイヤレス通信のための方法であって、
第１のノードにおいてユーザ機器（ＵＥ）についてのデータを受信することと、
前記ＵＥについてのパケットを生成するために、前記第１のノードにおいて前記受信したデータを処理することと、
第１のフローと第２のフローとを備える複数のフローに前記パケットを分離することと、
少なくとも１つのキャリアの第１のセットを介して、前記第１のノードから前記ＵＥに前記第１のフロー内のパケットを送ることと、
少なくとも１つのキャリアの第２のセットを介する前記ＵＥへの送信のために前記第１のノードから第２のノードに前記第２のフロー内のパケットを転送することと
を備え、前記少なくとも１つのキャリアの第１のおよび第２のセットは、前記ＵＥのために構成された複数のキャリアに基づいて決定される、
方法。
【請求項２】
前記受信したデータを前記処理することは、前記ＵＥについてのＰＤＣＰパケットを生成するために、前記受信したデータをパケットデータ収束プロトコル（ＰＤＣＰ）について処理することを備え、前記第２のフロー内のパケットを前記転送することは、前記第２のフロー内のＰＤＣＰパケットを前記第１のノードから前記第２のノードに転送することを備える、
請求項１に記載の方法。
【請求項３】
前記第１のフロー内の前記パケットを前記送ることは、少なくとも１つのキャリアの前記第１のセットにマッピングされる前記第１のフロー内のＰＤＣＰパケットを備える少なくとも１つのダウンリンク信号を生成するために、前記第１のフロー内の前記ＰＤＣＰパケットを無線リンク制御（ＲＬＣ）、メディアアクセス制御（ＭＡＣ）、および物理レイヤ（ＰＨＹ）について処理することを備える、
請求項２に記載の方法。
【請求項４】
前記受信したデータを前記処理することは、前記ＵＥについてのＲＬＣパケットを生成するために、前記受信したデータをパケットデータ収束プロトコル（ＰＤＣＰ）および無線リンク制御（ＲＬＣ）について処理することを備え、前記第２のフロー内のパケットを前記転送することは、前記第２のフロー内のＲＬＣパケットを前記第１のノードから前記第２のノードに転送することを備える、
請求項１に記載の方法。
【請求項５】
前記第１のフロー内の前記パケットを前記送ることは、少なくとも１つのキャリアの前記第１のセットにマッピングされる前記第１のフロー内の前記ＲＬＣパケットを備える少なくとも１つのダウンリンク信号を生成するために、前記第１のフロー内のＲＬＣパケットをメディアアクセス制御（ＭＡＣ）および物理レイヤ（ＰＨＹ）について処理することを備える、
請求項４に記載の方法。
【請求項６】
前記第１のセットおよび前記第２のセットが非オーバーラップであり、別個のキャリアを含み、前記第１のセット内のキャリアが前記第２のセット内に含まれない、
請求項１に記載の方法。
【請求項７】
前記第１のセットおよび前記第２のセットは、オーバーラップし、前記第１のセットと前記第２のセットの両方の中に存在する少なくとも１つの共通キャリアを含む、
請求項１に記載の方法。
【請求項８】
前記第１のフロー、または前記ＵＥ、あるいはその両方に対して適用可能な構成に基づいて、前記第１のフロー内の前記パケットを前記ＵＥに送るのに使用するための、少なくとも１つのキャリアの前記第１のセット上のリソースを決定することをさらに備える、
請求項１に記載の方法。
【請求項９】
前記第１のノードおよび前記第２のノードは、広域ネットワーク（ＷＡＮ）内の２つの基地局に対応する、
請求項１に記載の方法。
【請求項１０】
前記第１のノードは、広域ネットワーク（ＷＡＮ）内の基地局に対応し、前記第２のノードは、ワイヤレスローカルエリアネットワーク（ＷＬＡＮ）内のアクセスポイントに対応する、
請求項１に記載の方法。
【請求項１１】
ワイヤレス通信のための装置であって、
第１のノードにおいてユーザ機器（ＵＥ）についてのデータを受信することと、
前記ＵＥについてのパケットを生成するために、前記第１のノードにおいて前記受信したデータを処理することと、
第１のフローと第２のフローとを備える複数のフローに前記パケットを分離することと、
少なくとも１つのキャリアの第１のセットを介して、前記第１のノードから前記ＵＥに前記第１のフロー内のパケットを送ることと、
少なくとも１つのキャリアの第２のセットを介する前記ＵＥへの送信のために前記第１のノードから第２のノードに前記第２のフロー内のパケットを転送することと
を行うように構成された少なくとも１つのプロセッサを備え、少なくとも１つのキャリアの前記第１のおよび第２のセットが、前記ＵＥのために構成された複数のキャリアに基づいて決定される、
装置。
【請求項１２】
前記受信したデータを処理することを行うための前記少なくとも１つのプロセッサの前記構成は、前記ＵＥについてのＰＤＣＰパケットを生成するために、前記受信したデータをパケットデータ収束プロトコル（ＰＤＣＰ）について処理することを行うための構成を備え、前記第２のフロー内のパケットを転送することを行うための前記少なくとも１つのプロセッサの前記構成は、前記第２のフロー内のＰＤＣＰパケットを前記第１のノードから前記第２のノードに転送することを行うための構成を備える、
請求項１１に記載の装置。
【請求項１３】
前記第１のフロー内の前記パケットを送ることを行うための前記少なくとも１つのプロセッサの前記構成は、少なくとも１つのキャリアの前記第１のセットにマッピングされる前記第１のフロー内のＰＤＣＰパケットを備える少なくとも１つのダウンリンク信号を生成するために、前記第１のフロー内の前記ＰＤＣＰパケットを無線リンク制御（ＲＬＣ）、メディアアクセス制御（ＭＡＣ）、および物理レイヤ（ＰＨＹ）について処理することを行うための構成を備える、
請求項１２に記載の装置。
【請求項１４】
前記受信したデータを処理することを行うための前記少なくとも１つのプロセッサの前記構成は、前記ＵＥについてのＲＬＣパケットを生成するために、前記受信したデータをパケットデータ収束プロトコル（ＰＤＣＰ）および無線リンク制御（ＲＬＣ）について処理することを行うための構成を備え、前記第２のフロー内の前記パケットを転送することを行うための前記少なくとも１つのプロセッサの前記構成は、前記第２のフロー内のＲＬＣパケットを前記第１のノードから前記第２のノードに転送することを行うための構成を備える、
請求項１１に記載の装置。
【請求項１５】
前記第１のセットおよび前記第２のセットは、非オーバーラップであり、別個のキャリアを含み、前記第１のセット内のキャリアが前記第２のセット内に含まれない、
請求項１１に記載の装置。
【請求項１６】
前記第１のセットおよび前記第２のセットは、オーバーラップし、前記第１のセットと前記第２のセットの両方の中に存在する少なくとも１つの共通キャリアを含む、
請求項１１に記載の装置。
【請求項１７】
前記少なくとも１つのプロセッサは、前記第１のフロー、または前記ＵＥ、あるいはその両方に対して適用可能な構成に基づいて、前記第１のフロー内の前記パケットを前記ＵＥに送るのに使用するための、少なくとも１つのキャリアの前記第１のセット上のリソースを決定することを行うようにさらに構成される、
請求項１１に記載の装置。
【請求項１８】
ワイヤレス通信のための装置であって、
第１のノードにおいてユーザ機器（ＵＥ）についてのデータを受信するための手段と、
前記ＵＥについてのパケットを生成するために、前記第１のノードにおいて前記受信したデータを処理するための手段と、
第１のフローと第２のフローとを備える複数のフローに前記パケットを分離するための手段と、
少なくとも１つのキャリアの第１のセットを介して、前記第１のノードから前記ＵＥに前記第１のフロー内のパケットを送るための手段と、
少なくとも１つのキャリアの第２のセットを介する前記ＵＥへの送信のために前記第１のノードから第２のノードに前記第２のフロー内のパケットを転送するための手段と
を備え、少なくとも１つのキャリアの前記第１のおよび第２のセットは、前記ＵＥのために構成された複数のキャリアに基づいて決定される、
装置。
【請求項１９】
少なくとも１つのプロセッサに、第１のノードにおいてユーザ機器（ＵＥ）についてのデータを受信させるためのコードと、
前記少なくとも１つのプロセッサに、前記ＵＥについてのパケットを生成するために、前記第１のノードにおいて前記受信したデータを処理させるためのコードと、
前記少なくとも１つのプロセッサに、第１のフローと第２のフローとを備える複数のフローに前記パケットを分離させるためのコードと、
前記少なくとも１つのプロセッサに、少なくとも１つのキャリアの第１のセットを介して、前記第１のノードから前記ＵＥに前記第１のフロー内のパケットを送らせるためのコードと、
前記少なくとも１つのプロセッサに、少なくとも１つのキャリアの第２のセットを介する前記ＵＥへの送信のために前記第１のノードから第２のノードに前記第２のフロー内のパケットを転送させるためのコードと
を備える、非一時的コンピュータ可読媒体を備え、少なくとも１つのキャリアの前記第１のおよび第２のセットは、前記ＵＥのために構成された複数のキャリアに基づいて決定される、
コンピュータプログラム製品。
【請求項２０】
ワイヤレス通信のための方法であって、
少なくとも１つのキャリアの第１のセットを介して第１のノードからユーザ機器（ＵＥ）に送られた第１のフロー内のパケットを受信することと、
少なくとも１つのキャリアの第２のセットを介して第２のノードから前記ＵＥに送られた第２のフロー内のパケットを受信すること、前記第２のフロー内の前記パケットは、前記第１のノードによって生成され、前記第２のノードに転送され、少なくとも１つのキャリアの前記第１および第２のセットが、前記ＵＥのために構成された複数のキャリアに基づいて決定される、と
前記第１のフロー内の前記パケットと前記第２のフロー内の前記パケットとをアグリゲートすることと、
前記ＵＥについてのデータを得るために、前記アグリゲートしたパケットを処理することと
を備える、方法。
【請求項２１】
前記アグリゲートしたパケットは、無線リンク制御（ＲＬＣ）パケットを備え、前記アグリゲートしたパケットを前記処理することは、前記ＵＥについての前記データを得るために、前記ＲＬＣパケットをパケットデータ収束プロトコル（ＰＤＣＰ）について処理することを備える、
請求項２０に記載の方法。
【請求項２２】
前記第１のフロー内のＲＬＣパケットを得るために、前記第１のノードからの少なくとも１つの第１のダウンリンク信号を物理レイヤ（ＰＨＹ）、メディアアクセス制御（ＭＡＣ）、およびＲＬＣについて処理することと、
前記第２のフロー内のＲＬＣパケットを得るために、前記第２のノードからの少なくとも１つの第２のダウンリンク信号をＰＨＹ、ＭＡＣ、およびＲＬＣについて処理することと
をさらに備える、請求項２１に記載の方法。
【請求項２３】
前記アグリゲートしたパケットがメディアアクセス制御（ＭＡＣ）パケットを備え、前記アグリゲートしたパケットを前記処理することは、前記ＵＥについての前記データを得るために、前記ＭＡＣパケットを無線リンク制御（ＲＬＣ）およびパケットデータ収束プロトコル（ＰＤＣＰ）について処理することを備える、
請求項２０に記載の方法。
【請求項２４】
前記第１のフロー内のＭＡＣパケットを得るために、前記第１のノードからの少なくとも１つの第１のダウンリンク信号を物理レイヤ（ＰＨＹ）およびＭＡＣについて処理することと、
前記第２のフロー内のＭＡＣパケットを得るために、前記第２のノードからの少なくとも１つの第２のダウンリンク信号をＰＨＹおよびＭＡＣについて処理することと
をさらに備える、請求項２３に記載の方法。
【請求項２５】
ワイヤレス通信のための装置であって、
少なくとも１つのキャリアの第１のセットを介して第１のノードからユーザ機器（ＵＥ）に送られた第１のフロー内のパケットを受信することと、
少なくとも１つのキャリアの第２のセットを介して第２のノードから前記ＵＥに送られた第２のフロー内のパケットを受信すること、前記第２のフロー内の前記パケットは、前記第１のノードによって生成され、前記第２のノードに転送され、少なくとも１つのキャリアの前記第１および第２のセットは、前記ＵＥのために構成された複数のキャリアに基づいて決定される、と、
前記第１のフロー内の前記パケットと前記第２のフロー内の前記パケットとをアグリゲートすることと、
前記ＵＥについてのデータを得るために、前記アグリゲートしたパケットを処理することと
を行うように構成された少なくとも１つのプロセッサを備える、
装置。
【請求項２６】
前記アグリゲートしたパケットは、無線リンク制御（ＲＬＣ）パケットを備え、前記アグリゲートしたパケットを処理することを行うための前記少なくとも１つのプロセッサの前記構成は、前記ＵＥについての前記データを得るために、前記ＲＬＣパケットをパケットデータ収束プロトコル（ＰＤＣＰ）について処理することを行うための構成を備える、
請求項２５に記載の装置。
【請求項２７】
前記少なくとも１つのプロセッサは、
前記第１のフロー内のＲＬＣパケットを得るために、前記第１のノードからの少なくとも１つの第１のダウンリンク信号を物理レイヤ（ＰＨＹ）、メディアアクセス制御（ＭＡＣ）、およびＲＬＣについて処理することと、
前記第２のフロー内のＲＬＣパケットを得るために、前記第２のノードからの少なくとも１つの第２のダウンリンク信号をＰＨＹ、ＭＡＣ、およびＲＬＣについて処理することと
を行うようにさらに構成される、請求項２６に記載の装置。
【請求項２８】
前記アグリゲートしたパケットは、メディアアクセス制御（ＭＡＣ）パケットを備え、前記アグリゲートしたパケットを処理することを行うための前記少なくとも１つのプロセッサの前記構成は、前記ＵＥについての前記データを得るために、前記ＭＡＣパケットを無線リンク制御（ＲＬＣ）およびパケットデータ収束プロトコル（ＰＤＣＰ）について処理することを行うための構成を備える、
請求項２５に記載の装置。
【請求項２９】
前記少なくとも１つのプロセッサは、
前記第１のフロー内のＭＡＣパケットを得るために、前記第１のノードからの少なくとも１つの第１のダウンリンク信号を物理レイヤ（ＰＨＹ）およびＭＡＣについて処理することと、
前記第２のフロー内のＭＡＣパケットを得るために、前記第２のノードからの少なくとも１つの第２のダウンリンク信号をＰＨＹおよびＭＡＣについて処理することと
を行うようにさらに構成される、請求項２８に記載の装置。
【請求項３０】
ワイヤレス通信のための装置であって、
少なくとも１つのキャリアの第１のセットを介して第１のノードからユーザ機器（ＵＥ）に送られた第１のフロー内のパケットを受信するための手段と、
少なくとも１つのキャリアの第２のセットを介して第２のノードから前記ＵＥに送られた第２のフロー内のパケットを受信するための手段、前記第２のフロー内の前記パケットは、前記第１のノードによって生成され、前記第２のノードに転送され、少なくとも１つのキャリアの前記第１および第２のセットは、前記ＵＥのために構成された複数のキャリアに基づいて決定される、と、
前記第１のフロー内の前記パケットと前記第２のフロー内の前記パケットとをアグリゲートするための手段と、
前記ＵＥについてのデータを得るために、前記アグリゲートしたパケットを処理するための手段と
を備える、装置。
【請求項３１】
少なくとも１つのプロセッサに、少なくとも１つのキャリアの第１のセットを介して第１のノードからユーザ機器（ＵＥ）に送られた第１のフロー内のパケットを受信させるためのコードと、
前記少なくとも１つのプロセッサに、少なくとも１つのキャリアの第２のセットを介して第２のノードから前記ＵＥに送られた第２のフロー内のパケットを受信させるためのコード、前記第２のフロー内の前記パケットは、前記第１のノードによって生成され、前記第２のノードに転送され、少なくとも１つのキャリアの前記第１および第２のセットは、前記ＵＥのために構成された複数のキャリアに基づいて決定される、と、
前記少なくとも１つのプロセッサに、前記第１のフロー内の前記パケットと前記第２のフロー内の前記パケットとをアグリゲートさせるためのコードと、
前記少なくとも１つのプロセッサに、前記ＵＥについてのデータを得るために、前記アグリゲートしたパケットを処理させるためのコードと
を備える、非一時的コンピュータ可読媒体を備える、
コンピュータプログラム製品。
【請求項３２】
ワイヤレス通信のための方法であって、
アップリンク上での送信のために、ユーザ機器（ＵＥ）においてデータを受信することと、
パケットを生成するために、前記受信したデータを処理することと、
第１のフローと第２のフローとを備える複数のフローに前記パケットを分離することと、
少なくとも１つのキャリアの第１のセットを介して、前記ＵＥから第１のノードに前記第１のフロー内のパケットを送ることと、
少なくとも１つのキャリアの第２のセットを介して、前記ＵＥから第２のノードに前記第２のフロー内のパケットを送ることと、前記第２のフロー内の前記パケットが前記第２のノードから前記第１のノードに転送され、少なくとも１つのキャリアの前記第１および第２のセットは、前記ＵＥのために構成された複数のキャリアに基づいて決定される、
を備える、方法。
【請求項３３】
前記受信したデータを前記処理することは、ＰＤＣＰパケットを生成するために、前記受信したデータをパケットデータ収束プロトコル（ＰＤＣＰ）について処理することを備え、複数のフローに前記パケットを前記分離することは、前記第１のフロー内のＰＤＣＰパケットと、前記第２のフロー内のＰＤＣＰパケットとに前記ＰＤＣＰパケットを分離することを備える、
請求項３２に記載の方法。
【請求項３４】
前記第１のフロー内の前記パケットを前記送ることは、少なくとも１つのキャリアの前記第１のセットにマッピングされる前記第１のフロー内の前記ＰＤＣＰパケットを備える少なくとも１つのアップリンク信号を生成するために、前記第１のフロー内の前記ＰＤＣＰパケットを無線リンク制御（ＲＬＣ）、メディアアクセス制御（ＭＡＣ）、および物理レイヤ（ＰＨＹ）について処理することを備え、前記第２のフロー内の前記パケットを前記送ることは、少なくとも１つのキャリアの前記第２のセットにマッピングされる前記第２のフロー内の前記ＰＤＣＰパケットを備える前記少なくとも１つのアップリンク信号を生成するために、前記第２のフロー内の前記ＰＤＣＰパケットをＲＬＣ、ＭＡＣ、およびＰＨＹについて処理することを備える、
請求項３３に記載の方法。
【請求項３５】
前記受信したデータを前記処理することは、ＲＬＣパケットを生成するために、前記受信したデータをパケットデータ収束プロトコル（ＰＤＣＰ）および無線リンク制御（ＲＬＣ）について処理することを備え、複数のフローに前記パケットを前記分離することは、前記第１のフロー内のＲＬＣパケットと、前記第２のフロー内のＲＬＣパケットとに前記ＲＬＣパケットを分離することを備える、
請求項３２に記載の方法。
【請求項３６】
前記第１のフロー内の前記パケットを前記送ることは、少なくとも１つのキャリアの前記第１のセットにマッピングされる前記第１のフロー内の前記ＲＬＣパケットを備える少なくとも１つのアップリンク信号を生成するために、前記第１のフロー内の前記ＲＬＣパケットをメディアアクセス制御（ＭＡＣ）および物理レイヤ（ＰＨＹ）について処理することを備え、前記第２のフロー内の前記パケットを前記送ることは、少なくとも１つのキャリアの前記第２のセットにマッピングされる前記第２のフロー内の前記ＲＬＣパケットを備える前記少なくとも１つのアップリンク信号を生成するために、前記第２のフロー内の前記ＲＬＣパケットをＭＡＣおよびＰＨＹについて処理することを備える、
請求項３５に記載の方法。
【請求項３７】
ワイヤレス通信のための装置であって、
アップリンク上での送信のために、ユーザ機器（ＵＥ）においてデータを受信することと、
パケットを生成するために、前記受信したデータを処理することと、
第１のフローと第２のフローとを備える複数のフローに前記パケットを分離することと、
少なくとも１つのキャリアの第１のセットを介して、前記ＵＥから第１のノードに前記第１のフロー内のパケットを送ることと、
少なくとも１つのキャリアの第２のセットを介して、前記ＵＥから第２のノードに前記第２のフロー内のパケットを送ることと
を行うように構成された少なくとも１つのプロセッサを備え、前記第２のフロー内の前記パケットは、前記第２のノードから前記第１のノードに転送され、少なくとも１つのキャリアの前記第１および第２のセットは、前記ＵＥのために構成された複数のキャリアに基づいて決定される、
装置。
【請求項３８】
前記受信したデータを処理することを行うための前記少なくとも１つのプロセッサの前記構成は、ＰＤＣＰパケットを生成するために、前記受信したデータをパケットデータ収束プロトコル（ＰＤＣＰ）について処理することを行うための構成を備え、複数のフローに前記パケットを分離することを行うための前記少なくとも１つのプロセッサの前記構成は、前記第１のフロー内のＰＤＣＰパケットと、前記第２のフロー内のＰＤＣＰパケットとに前記ＰＤＣＰパケットを分離することを行うための構成を備える、
請求項３７に記載の装置。
【請求項３９】
前記第１のフロー内の前記パケットを送ることを行うための前記少なくとも１つのプロセッサの前記構成は、少なくとも１つのキャリアの前記第１のセットにマッピングされる前記第１のフロー内の前記ＰＤＣＰパケットを備える少なくとも１つのアップリンク信号を生成するために、前記第１のフロー内の前記ＰＤＣＰパケットを無線リンク制御（ＲＬＣ）、メディアアクセス制御（ＭＡＣ）、および物理レイヤ（ＰＨＹ）について処理することを行うための構成を備え、前記第２のフロー内の前記パケットを送ることを行うための前記少なくとも１つのプロセッサの前記構成は、少なくとも１つのキャリアの前記第２のセットにマッピングされる前記第２のフロー内の前記ＰＤＣＰパケットを備える前記少なくとも１つのアップリンク信号を生成するために、前記第２のフロー内の前記ＰＤＣＰパケットをＲＬＣ、ＭＡＣ、およびＰＨＹについて処理することを行うための構成を備える、
請求項３８に記載の装置。
【請求項４０】
前記受信したデータを処理することを行うための前記少なくとも１つのプロセッサの前記構成は、ＲＬＣパケットを生成するために、前記受信したデータをパケットデータ収束プロトコル（ＰＤＣＰ）および無線リンク制御（ＲＬＣ）について処理することを行うための構成を備え、複数のフローに前記パケットを分離することを行うための前記少なくとも１つのプロセッサの前記構成は、前記第１のフロー内のＲＬＣパケットと、前記第２のフロー内のＲＬＣパケットとに前記ＲＬＣパケットを分離することを行うための構成を備える、
請求項３７に記載の装置。
【請求項４１】
前記第１のフロー内の前記パケットを送ることを行うための前記少なくとも１つのプロセッサの前記構成は、少なくとも１つのキャリアの前記第１のセットにマッピングされる前記第１のフロー内の前記ＲＬＣパケットを備える少なくとも１つのアップリンク信号を生成するために、前記第１のフロー内の前記ＲＬＣパケットをメディアアクセス制御（ＭＡＣ）および物理レイヤ（ＰＨＹ）について処理することを行うための構成を備え、前記第２のフロー内の前記パケットを送ることを行うための前記少なくとも１つのプロセッサの前記構成は、少なくとも１つのキャリアの前記第２のセットにマッピングされる前記第２のフロー内の前記ＲＬＣパケットを備える前記少なくとも１つのアップリンク信号を生成するために、前記第２のフロー内の前記ＲＬＣパケットをＭＡＣおよびＰＨＹについて処理することを行うための構成を備える、
請求項４０に記載の装置。
【請求項４２】
ワイヤレス通信のための装置であって、
アップリンク上での送信のために、ユーザ機器（ＵＥ）においてデータを受信するための手段と、
パケットを生成するために、前記受信したデータを処理するための手段と、
第１のフローと第２のフローとを備える複数のフローに前記パケットを分離するための手段と、
少なくとも１つのキャリアの第１のセットを介して、前記ＵＥから第１のノードに前記第１のフロー内のパケットを送るための手段と、
少なくとも１つのキャリアの第２のセットを介して、前記ＵＥから第２のノードに前記第２のフロー内のパケットを送るための手段と
を備え、前記第２のフロー内の前記パケットは、前記第２のノードから前記第１のノードに転送され、少なくとも１つのキャリアの前記第１および第２のセットは、前記ＵＥのために構成された複数のキャリアに基づいて決定される、
装置。
【請求項４３】
少なくとも１つのプロセッサに、アップリンク上での送信のために、ユーザ機器（ＵＥ）においてデータを受信させるためのコードと、
前記少なくとも１つのプロセッサに、パケットを生成するために、前記受信したデータを処理させるためのコードと、
前記少なくとも１つのプロセッサに、第１のフローと第２のフローとを備える複数のフローに前記パケットを分離させるためのコードと、
前記少なくとも１つのプロセッサに、少なくとも１つのキャリアの第１のセットを介して、前記ＵＥから第１のノードに前記第１のフロー内のパケットを送らせるためのコードと、
前記少なくとも１つのプロセッサに、少なくとも１つのキャリアの第２のセットを介して、前記ＵＥから第２のノードに前記第２のフロー内のパケットを送らせるためのコードと
を備える、非一時的コンピュータ可読媒体を備え、前記第２のフロー内の前記パケットは、前記第２のノードから前記第１のノードに転送され、少なくとも１つのキャリアの前記第１および第２のセットは、前記ＵＥのために構成された複数のキャリアに基づいて決定される、
コンピュータプログラム製品。
【請求項４４】
ワイヤレス通信のための方法であって、
少なくとも１つのキャリアの第１のセットを介してユーザ機器（ＵＥ）から第１のノードに送られた第１のフロー内のパケットを受信することと、
少なくとも１つのキャリアの第２のセットを介して前記ＵＥから第２のノードに送られた第２のフロー内のパケットを受信すること、前記第２のフロー内の前記パケットが処理され、次いで前記第２のノードから前記第１のノードに転送され、少なくとも１つのキャリアの前記第１および第２のセットが、前記ＵＥのために構成された複数のキャリアに基づいて決定される、と、
前記第１のフロー内の前記パケットと前記第２のフロー内の前記パケットとをアグリゲートすることと、
前記ＵＥについてのデータを得るために、前記アグリゲートしたパケットを処理することと
を備える、方法。
【請求項４５】
前記アグリゲートしたパケットは、無線リンク制御（ＲＬＣ）パケットを備え、前記アグリゲートしたパケットを前記処理することは、前記ＵＥについての前記データを得るために、前記ＲＬＣパケットをパケットデータ収束プロトコル（ＰＤＣＰ）について処理することを備える、
請求項４４に記載の方法。
【請求項４６】
前記第１のフロー内のＲＬＣパケットを得るために、前記ＵＥからの少なくとも１つのアップリンク信号を物理レイヤ（ＰＨＹ）、メディアアクセス制御（ＭＡＣ）、およびＲＬＣについて処理することをさらに備える、
請求項４５に記載の方法。
【請求項４７】
前記アグリゲートしたパケットがメディアアクセス制御（ＭＡＣ）パケットを備え、前記アグリゲートしたパケットを前記処理することが、前記ＵＥについての前記データを得るために、前記ＭＡＣパケットを無線リンク制御（ＲＬＣ）およびパケットデータ収束プロトコル（ＰＤＣＰ）について処理することを備える、
請求項４４に記載の方法。
【請求項４８】
前記第１のフロー内のＭＡＣパケットを得るために、前記ＵＥからの少なくとも１つのアップリンク信号を物理レイヤ（ＰＨＹ）およびＭＡＣについて処理することをさらに備える、
請求項４７に記載の方法。
【請求項４９】
ワイヤレス通信のための装置であって、
少なくとも１つのキャリアの第１のセットを介してユーザ機器（ＵＥ）から第１のノードに送られた第１のフロー内のパケットを受信することと、
少なくとも１つのキャリアの第２のセットを介して前記ＵＥから第２のノードに送られた第２のフロー内のパケットを受信すること、前記第２のフロー内の前記パケットは、処理され、次いで前記第２のノードから前記第１のノードに転送され、少なくとも１つのキャリアの前記第１および第２のセットが、前記ＵＥのために構成された複数のキャリアに基づいて決定される、と、
前記第１のフロー内の前記パケットと前記第２のフロー内の前記パケットとをアグリゲートすることと、
前記ＵＥについてのデータを得るために、前記アグリゲートしたパケットを処理することと
を行うように構成された少なくとも１つのプロセッサを備える、
装置。
【請求項５０】
前記アグリゲートしたパケットは、無線リンク制御（ＲＬＣ）パケットを備え、前記アグリゲートしたパケットを処理することを行うための前記少なくとも１つのプロセッサの前記構成は、前記ＵＥについての前記データを得るために、前記ＲＬＣパケットをパケットデータ収束プロトコル（ＰＤＣＰ）について処理することを行うための構成を備える、
請求項４９に記載の装置。
【請求項５１】
前記アグリゲートしたパケットは、メディアアクセス制御（ＭＡＣ）パケットを備え、前記アグリゲートしたパケットを処理することを行うための前記少なくとも１つのプロセッサの前記構成は、前記ＵＥについての前記データを得るために、前記ＭＡＣパケットを無線リンク制御（ＲＬＣ）およびパケットデータ収束プロトコル（ＰＤＣＰ）について処理することを行うための構成を備える、
請求項４９に記載の装置。
【請求項５２】
ワイヤレス通信のための装置であって、
少なくとも１つのキャリアの第１のセットを介してユーザ機器（ＵＥ）から第１のノードに送られた第１のフロー内のパケットを受信するための手段と、
少なくとも１つのキャリアの第２のセットを介して前記ＵＥから第２のノードに送られた第２のフロー内のパケットを受信するための手段、前記第２のフロー内の前記パケットは、処理され、次いで前記第２のノードから前記第１のノードに転送され、少なくとも１つのキャリアの前記第１および第２のセットは、前記ＵＥのために構成された複数のキャリアに基づいて決定される、と、
前記第１のフロー内の前記パケットと前記第２のフロー内の前記パケットとをアグリゲートするための手段と、
前記ＵＥについてのデータを得るために、前記アグリゲートしたパケットを処理するための手段と
を備える、装置。
【請求項５３】
少なくとも１つのプロセッサに、少なくとも１つのキャリアの第１のセットを介してユーザ機器（ＵＥ）から第１のノードに送られた第１のフロー内のパケットを受信させるためのコードと、
前記少なくとも１つのプロセッサに、少なくとも１つのキャリアの第２のセットを介して前記ＵＥから第２のノードに送られた第２のフロー内のパケットを受信させるためのコード、前記第２のフロー内の前記パケットは、処理され、次いで前記第２のノードから前記第１のノードに転送され、少なくとも１つのキャリアの前記第１および第２のセットは、前記ＵＥのために構成された複数のキャリアに基づいて決定される、と、
前記少なくとも１つのプロセッサに、前記第１のフロー内の前記パケットと前記第２のフロー内の前記パケットとをアグリゲートさせるためのコードと、
前記少なくとも１つのプロセッサに、前記ＵＥについてのデータを得るために、前記アグリゲートしたパケットを処理させるためのコードと
を備える非一時的コンピュータ可読媒体を備える、
コンピュータプログラム製品。
【請求項５４】
ワイヤレス通信のための方法であって、
少なくとも１つのキャリアの第１のセットを介してダウンリンクデータチャネル上で第１のセルからユーザ機器（ＵＥ）に送られたダウンリンクデータを受信することと、
少なくとも１つのキャリアの第２のセットを介してアップリンクデータチャネル上で前記ＵＥから第２のセルにアップリンクデータを送ることと
を備える、方法。
【請求項５５】
少なくとも１つのキャリアの前記第１のセットは、少なくとも１つのキャリアの前記第２のセットとは異なる、
請求項５４に記載の方法。
【請求項５６】
前記ＵＥが複数のキャリアで構成され、少なくとも１つのキャリアの前記第１のセットおよび少なくとも１つのキャリアの前記第２のセットは、前記ＵＥのために構成された前記複数のキャリアに基づいて決定される、
請求項５４に記載の方法。
【請求項５７】
前記複数のキャリアの各々は、少なくとも１つのキャリアの前記第１および第２のセットのうちの多くても１つの中に含まれる、
請求項５６に記載の方法。
【請求項５８】
前記ＵＥは、前記第２のセルについてのダウンリンクデータチャネルでは構成されない、
請求項５４に記載の方法。
【請求項５９】
前記ＵＥから前記第１のセルにアップリンク制御チャネル上でアップリンク制御情報（ＵＣＩ）を送ることをさらに備える、
請求項５４に記載の方法。
【請求項６０】
前記ＵＣＩは、前記第１のセルから受信した前記ダウンリンクデータについての肯定応答／否定応答（ＡＣＫ／ＮＡＣＫ）、またはチャネル状態情報（ＣＳＩ）、またはその両方を備える、
請求項５９に記載の方法。
【請求項６１】
第１のダウンリンク制御チャネル上で前記第１のセルから前記ＵＥに送られた第１のダウンリンク制御情報（ＤＣＩ）を受信すること、前記第１のＤＣＩは、前記ダウンリンクデータチャネル上でのダウンリンクデータ送信について前記ＵＥをスケジューリングするダウンリンクグラントを備える、と、
第２のダウンリンク制御チャネル上で前記第２のセルから前記ＵＥに送られた第２のＤＣＩを受信することと
をさらに備え、前記第２のＤＣＩは、前記アップリンクデータチャネル上でのアップリンクデータ送信について前記ＵＥをスケジューリングするアップリンクグラントを備える、
請求項５４に記載の方法。
【請求項６２】
前記第２のセルに送られた前記アップリンクデータについての肯定応答／否定応答（ＡＣＫ／ＮＡＣＫ）を受信することをさらに備え、前記ＡＣＫ／ＮＡＣＫは、前記第２のセルによってダウンリンク制御チャネル上で前記ＵＥに送られる、
請求項５４に記載の方法。
【請求項６３】
ワイヤレス通信のための装置であって、
少なくとも１つのキャリアの第１のセットを介してダウンリンクデータチャネル上で第１のセルからユーザ機器（ＵＥ）に送られるダウンリンクデータを受信することと、
少なくとも１つのキャリアの第２のセットを介してアップリンクデータチャネル上で前記ＵＥから第２のセルにアップリンクデータを送ることと
を行うように構成された少なくとも１つのプロセッサを備える、
装置。
【請求項６４】
少なくとも１つのキャリアの前記第１のセットは、少なくとも１つのキャリアの前記第２のセットとは異なる、
請求項６３に記載の装置。
【請求項６５】
前記ＵＥは、複数のキャリアで構成され、少なくとも１つのキャリアの前記第１のセットおよび少なくとも１つのキャリアの前記第２のセットは、前記ＵＥのために構成された前記複数のキャリアに基づいて決定される、
請求項６３に記載の装置。
【請求項６６】
前記複数のキャリアの各々は、少なくとも１つのキャリアの前記第１および第２のセットのうちの多くても１つの中に含まれる、
請求項６５に記載の装置。
【請求項６７】
前記ＵＥは、前記第２のセルについてのダウンリンクデータチャネルでは構成されない、
請求項６３に記載の装置。
【請求項６８】
前記少なくとも１つのプロセッサは、前記ＵＥから前記第１のセルにアップリンク制御チャネル上でアップリンク制御情報（ＵＣＩ）を送るようにさらに構成される、
請求項６３に記載の装置。
【請求項６９】
前記少なくとも１つのプロセッサは、
第１のダウンリンク制御チャネル上で前記第１のセルから前記ＵＥに送られた第１のダウンリンク制御情報（ＤＣＩ）を受信すること、前記第１のＤＣＩは、前記ダウンリンクデータチャネル上でのダウンリンクデータ送信について前記ＵＥをスケジューリングするダウンリンクグラントを備える、と、
第２のダウンリンク制御チャネル上で前記第２のセルから前記ＵＥに送られた第２のＤＣＩを受信することと
を行うようにさらに構成され、前記第２のＤＣＩは、前記アップリンクデータチャネル上でのアップリンクデータ送信について前記ＵＥをスケジューリングするアップリンクグラントを備える、
請求項６３に記載の装置。
【請求項７０】
ワイヤレス通信のための装置であって、
少なくとも１つのキャリアの第１のセットを介してダウンリンクデータチャネル上で第１のセルからユーザ機器（ＵＥ）に送られたダウンリンクデータを受信するための手段と、
少なくとも１つのキャリアの第２のセットを介してアップリンクデータチャネル上で前記ＵＥから第２のセルにアップリンクデータを送るための手段と
を備える、装置。
【請求項７１】
少なくとも１つのプロセッサに、少なくとも１つのキャリアの第１のセットを介してダウンリンクデータチャネル上で第１のセルからユーザ機器（ＵＥ）に送られたダウンリンクデータを受信させるためにコードと、
前記少なくとも１つのプロセッサに、少なくとも１つのキャリアの第２のセットを介してアップリンクデータチャネル上で前記ＵＥから第２のセルにアップリンクデータを送らせるためのコードと
を備える、非一時的コンピュータ可読媒体を備える、
コンピュータプログラム製品。
【発明の詳細な説明】
【関連出願】
【０００１】
関連出願の相互参照  
[0001]本願は、参照によりその全体が本明細書に明白に組み込まれる、２０１３年４月１２日出願の「PACKET-LEVEL SPLITTING FOR DATA TRANSMISSION VIA MULTIPLE CARRIERS」という名称の米国仮特許出願第６１／８１１６３７号の利益を主張する。
【技術分野】
【０００２】
[0002]本開示は、一般に通信に関し、より詳細には、ワイヤレス通信ネットワークにおいてデータ送信をサポートするための技法に関する。
【背景技術】
【０００３】
[0003]ワイヤレス通信ネットワークは、音声、ビデオ、パケットデータ、メッセージング、ブロードキャストなどの様々な通信コンテンツを提供するために広く展開されている。これらのワイヤレスネットワークは、利用可能なネットワークリソースを共有することによって複数のユーザをサポートすることのできる多元接続ネットワークであり得る。そのような多元接続ネットワークの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]ワイヤレス通信ネットワークは、複数のユーザ機器（ＵＥ）のための通信をサポートすることができる複数の基地局を含むことができる。ＵＥは、ダウンリンクおよびアップリンクを介して基地局を通信し得る。ダウンリンク（または順方向リンク）とは、基地局からＵＥへの通信リンクを指し、アップリンク（または逆方向リンク）とは、ＵＥから基地局への通信リンクを指す。
【０００５】
[0005]ワイヤレス通信ネットワークは、複数のキャリア上での動作をサポートし得る。キャリアとは、通信のために使用される周波数の範囲を指すことがあり、いくつかの特性に関連付けられ得る。たとえば、キャリアは、キャリア上での動作を記述するシステム情報に関連付けられ得る。キャリアはまた、コンポーネントキャリア（ＣＣ）、周波数チャネル、セルなどと呼ばれることもある。基地局は、キャリアアグリゲーションのために複数のキャリア上でデータおよび／または制御情報をＵＥに送信し得る。ＵＥは、複数のキャリア上でデータおよび／または制御情報を基地局に送信し得る。
【図面の簡単な説明】
【０００６】
【図１】
【図２】
【図３】
【図４Ａ】
【図４Ｂ】
【図５Ａ】
【図５Ｂ】
【図６】
【図７Ａ】
【図７Ｂ】
【図８】
【図９】
【図１０】
【図１１】
【図１２】
【図１３】
【図１４】
【発明を実施するための形態】
【０００７】
[0006]ワイヤレス通信ネットワーク内の複数のキャリアを介する通信をサポートするための技法が本明細書で開示される。これらの技法は、ＣＤＭＡ、ＴＤＭＡ、ＦＤＭＡ、ＯＦＤＭＡ、ＳＣ−ＦＤＭＡ、他のワイヤレスネットワークなどの様々なワイヤレス通信ネットワークについて使用され得る。「ネットワーク」および「システム」という用語は、しばしば互換的に使用される。ＣＤＭＡネットワークは、ユニバーサルテレストリアルラジオアクセス（ＵＴＲＡ）、ｃｄｍａ２０００などの無線技術を実装し得る。ＵＴＲＡとしては、広帯域ＣＤＭＡ（ＷＣＤＭＡ（登録商標））、時分割同期ＣＤＭＡ（ＴＤ−ＳＣＤＭＡ）、およびＣＤＭＡの他の変種がある。ｃｄｍａ２０００としては、ＩＳ−２０００規格、ＩＳ−９５規格、およびＩＳ−８５６規格がある。ＴＤＭＡネットワークは、グローバルシステムフォーモバイルコミュニケーション（ＧＳＭ（登録商標））などの無線技術を実装し得る。ＯＦＤＭＡネットワークは、発展型ＵＴＲＡ（Ｅ−ＵＴＲＡ）、ウルトラブロードバンド（ＵＭＢ）、ＩＥＥＥ８０２．１１（Ｗｉ−Ｆｉ（登録商標）およびＷｉ−Ｆｉ  Ｄｉｒｅｃｔ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡ、Ｅ−ＵＴＲＡ、およびＧＳＭは、ユニバーサルモバイルテレコミュニケーションシステム（ＵＭＴＳ）の一部である。周波数分割複信（ＦＤＤ）と時分割複信（ＴＤＤ）の両方での３ＧＰＰロングタームエボリューション（ＬＴＥ）およびＬＴＥアドバンスト（ＬＴＥ−Ａ）は、ダウンリンク上でＯＦＤＭＡを利用し、アップリンク上でＳＣ−ＦＤＭＡを利用するＥ−ＵＴＲＡを使用するＵＭＴＳの最近のリリースである。ＵＴＲＡ、Ｅ−ＵＴＲＡ、ＧＳＭ、ＵＭＴＳ、ＬＴＥ、およびＬＴＥ−Ａは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文書で説明されている。ｃｄｍａ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名称の組織からの文書で説明されている。本明細書で説明する技法は、上述のワイヤレスネットワークおよび無線技術、ならびに他のワイヤレスネットワークおよび無線技術について使用され得る。明快のために、技法のいくつかの態様がＬＴＥについて以下で説明され、以下の説明の多くではＬＴＥ用語が使用される。
【０００８】
[0007]図１は、ＬＴＥネットワークまたは何らかの他のワイヤレスネットワークとすることができるワイヤレス通信ネットワーク１００を示す。ワイヤレスネットワーク１００は、無線通信をサポートする無線アクセスネットワーク（ＲＡＮ）１２０と、データ通信および／または他のサービスをサポートするコアネットワーク（ＣＮ）１４０とを含み得る。ＲＡＮ１２０は発展型ユニバーサルテレストリアルラジオアクセスネットワーク（Ｅ−ＵＴＲＡＮ）と呼ばれることもある。
【０００９】
[0008]ＲＡＮ１２０は、ＵＥのための無線通信をサポートするいくつかの発展型ノードＢ（ｅＮＢ）を含み得る。簡単のために、図１には、２つのｅＮＢ１３０およびｅＮＢ１３２のみが示されている。ｅＮＢは、ＵＥと通信するエンティティであり得、ノードＢ、基地局、アクセスポイントなどと呼ばれることもある。各ｅＮＢは、特定の地理的エリアに対して通信カバレージを提供し得、カバレージエリア内に位置するＵＥのための無線通信をサポートし得る。ネットワーク容量を改善するために、ｅＮＢの全体的なカバレージエリアは複数（たとえば、３つ）のより小さいエリアに区分され得る。各々のより小さいエリアは、それぞれのｅＮＢサブシステムによってサービスされ得る。３ＧＰＰでは、「セル」という用語は、このｅＮＢのカバレージエリアおよび／またはこのカバレージエリアをサービスするｅＮＢサブシステムを指すことがある。ｅＮＢ１３０および１３２はそれぞれ、マクロセル用のマクロｅＮＢ、ピコセル用のピコｅＮＢ、フェムトセル用のホームｅＮＢなどであり得る。たとえば、ｅＮＢ１３０および１３２は２つのマクロｅＮＢであり得る。別の例として、ｅＮＢ１３０はマクロｅＮＢであり得、ｅＮＢ１３２はフェムトｅＮＢまたはＷｉ−Ｆｉアクセスポイントであり得る。各ｅＮＢは、１つのセルまたは複数（たとえば、３つ）のセルであり得る。ＲＡＮ１２０はまた、簡単のために図１に示されていない他のネットワークエンティティを含み得る。
【００１０】
[0009]コアネットワーク１４０は、モビリティ管理エンティティ（ＭＭＥ）１４２と、ホーム加入者サーバ（ＨＳＳ）１４４と、サービングゲートウェイ（ＳＧＷ）１４６と、パケットデータネットワーク（ＰＤＮ）ゲートウェイ（ＰＧＷ）１４８とを含み得る。コアネットワーク１４０はまた、簡単のために図１に示されていない他のネットワークエンティティを含み得る。
【００１１】
[0010]ＭＭＥ１４２は、非アクセス層（ＮＡＳ：Non Access Stratum）のためのシグナリングおよびセキュリティの制御、ＵＥの認証およびモビリティ管理、ＵＥのためのゲートウェイの選択、ベアラ管理機能などの様々な機能を実行し得る。ＨＳＳ１４４は、ユーザについての加入関係情報（たとえば、ユーザプロファイル）およびロケーション情報を記憶し、ユーザの認証および許可を実行し、要求されたときユーザロケーションおよびルーティング情報に関する情報を与え得る。
【００１２】
[0011]サービングゲートウェイ１４６は、データルーティングおよび転送、モビリティアンカリングなど、ＵＥのためのインターネットプロトコル（ＩＰ）データ転送に関係する様々な機能を実行し得る。サービングゲートウェイ１４６はまた、ＲＡＮ１２０へのインターフェースを終端し得、ｅＮＢ間のハンドオーバのサポート、ＵＥのためのデータのバッファリング、ルーティングおよびフォワーディング、ネットワークトリガ型サービス要求プロシージャの開始、課金のためのアカウンティング機能などの様々な機能を実行し得る。
【００１３】
[0012]ＰＤＮゲートウェイ１４８は、ＵＥのためのデータ接続性の維持、ＩＰアドレス割振り、ＵＥのためのパケットフィルタリング、サービスレベルゲート制御およびレート強制、クライアントおよびサーバのための動的ホスト構成プロトコル（ＤＨＣＰ：dynamic host configuration protocol）機能、ゲートウェイＧＰＲＳサポートノード（ＧＧＳＮ：gateway GPRS support node）機能などの様々な機能を実行し得る。ＰＤＮゲートウェイ１４８はまた、インターネット、ネットワーク事業者のパケットデータネットワークなどであり得る、パケットデータネットワーク１９０へのＳＧｉインターフェースを終端し得る。ＳＧｉは、データサービスのプロビジョンのためのＰＤＮゲートウェイとパケットデータネットワークとの間の基準点である。
【００１４】
[0013]図１に、ＲＡＮ１２０およびコアネットワーク１４０中の様々なネットワークエンティティ間の例示的なインターフェースをも示す。ｅＮＢ１３０およびｅＮＢ１３２は、Ｘ２インターフェースを介して互いに通信し得る。ｅＮＢ１３０およびｅＮＢ１３２は、Ｓ１−ＭＭＥインターフェースを介してＭＭＥ１４２と通信し、Ｓ１−Ｕインターフェースを介してサービングゲートウェイ１４６と通信し得る。ＭＭＥ１４２は、Ｓ６ａインターフェースを介してＨＳＳ１４４と通信し得、Ｓ１１インターフェースを介してサービングゲートウェイ１４６と通信し得る。サービングゲートウェイ１４６は、Ｓ５インターフェースを介してＰＤＮゲートウェイ１４８と通信し得る。
【００１５】
[0014]ＲＡＮ１２０およびコアネットワーク１４０中の様々なネットワークエンティティならびにネットワークエンティティ間のインターフェースは、「Evolved Universal Terrestrial Radio Access (E-UTRA) and Evolved Universal Terrestrial Radio Access Network (E-UTRAN); Overall description」と題する３ＧＰＰ  ＴＳ  ３６．３００、および「General Packet Radio Service (GPRS) enhancements for Evolved Universal Terrestrial Radio Access Network (E-UTRAN) access」と題する３ＧＰＰ  ＴＳ  ２３．４０１に記載されている。これらの文書は３ＧＰＰから公的に入手可能である。
【００１６】
[0015]ＵＥ１１０は、無線通信のための所与の瞬間において１つまたは複数のｅＮＢと通信し得る。ＵＥ１１０は、固定でも移動でもよく、移動局、端末、アクセス端末、加入者ユニット、局などと呼ばれることもある。ＵＥ１１０は、セルラーフォン、スマートフォン、タブレット、ワイヤレス通信デバイス、携帯情報端末（ＰＤＡ）、ワイヤレスモデム、ハンドヘルドデバイス、ラップトップコンピュータ、コードレスフォン、ワイヤレスローカルループ（ＷＬＬ）局、ネットブック、スマートブックなどであり得る。
【００１７】
[0016]ワイヤレスネットワーク１００は、キャリアアグリゲーションまたはマルチキャリア動作と呼ばれることがある、複数のキャリア上での動作をサポートし得る。キャリアとは、通信のために使用される周波数の範囲を指すことがあり、いくつかの特性に関連付けられ得る。たとえば、キャリアは、キャリア上での動作を記述するシステム情報に関連付けられ得る。キャリアはまた、コンポーネントキャリア（ＣＣ）、周波数チャネル、セルなどと呼ばれることもある。
【００１８】
[0017]ＵＥ１１０は、キャリアアグリゲーションのために、ダウンリンク用の複数のキャリア（またはダウンリンクキャリア）と、アップリンク用の１つまたは複数のキャリア（アップリンクキャリア）と共に構成され得る。１つまたは複数のｅＮＢは、１つまたは複数のダウンリンクキャリア上でデータおよび／または制御情報をＵＥ１１０に送信し得る。ＵＥ１１０は、１つまたは複数のアップリンクキャリア上でデータおよび／または制御情報を１つまたは複数のｅＮＢに送信し得る。
【００１９】
[0018]ワイヤレスネットワーク１００は、ユーザプレーンおよび制御プレーンを介した通信をサポートし得る。ユーザプレーンは、上位レイヤアプリケーションのためのデータを搬送し、ユーザプレーンベアラを採用するための機構であり、一般に、ユーザデータグラムプロトコル（ＵＤＰ）、伝送制御プロトコル（ＴＣＰ）、およびインターネットプロトコル（ＩＰ）など、標準プロトコルを用いて実装される。制御プレーンはデータを搬送するための機構（たとえば、シグナリング）であり、通常は、ネットワーク特有のプロトコル、インターフェース、およびＮＡＳメッセージや無線リソース制御（ＲＲＣ）メッセージなどのシグナリングメッセージと共に実装される。たとえば、トラフィック／パケットデータは、ユーザプレーンを介してＵＥ１１０とワイヤレスネットワーク１００との間で送られ得る。ＵＥ１１０のための通信をサポートするための様々なプロシージャのためのシグナリングが、制御プレーンを介して送られ得る。
【００２０】
[0019]ＵＥ１１０は、キャリアアグリゲーションを用いるデータ通信のために１つまたは複数のデータベアラと共に構成され得る。ベアラは、たとえば、規定された容量、遅延、ビット誤り率など、規定された特徴の情報送信経路を指す場合がある。データベアラは、データを交換するためのベアラであり、ＵＥとＵＥのためのデータをルーティングするために指定されたネットワークエンティティ（たとえば、ＰＤＮゲートウェイ）とにおいて終端し得る。データベアラは、ＬＴＥにおける発展型パケットシステム（ＥＰＳ）ベアラなどと呼ばれることもある。
【００２１】
[0020]指定されたネットワークエンティティ（たとえば、ＰＤＮゲートウェイ）にＵＥ１１０が接続したとき、データベアラが確立され得、ＵＥ１１０に常にオンのＩＰ接続性を提供するために、接続の寿命にわたって確立されたままとなり得る。このデータベアラはデフォルトデータベアラと呼ばれることがある。１つまたは複数の追加のデータベアラが、同じネットワークエンティティ（たとえば、同じＰＤＮゲートウェイ）に対して確立され得、（１つまたは複数の）専用データベアラと呼ばれることがある。各々の追加のデータベアラが、（ｉ）データベアラを介して送られるパケットをフィルタリングするのに使用される１つまたは複数のトラフィックフローテンプレート（ＴＦＴ）、（ｉｉ）ＵＥと、指定されたネットワークエンティティとの間のデータ転送に関するサービス品質（ＱｏＳ）パラメータ、（ｉｉｉ）スケジューリングポリシー、キュー管理ポリシー、レート形成ポリシー、無線リンク制御（ＲＬＣ）構成などに関するパケット転送処理、および／または（ｉｖ）他の特性などの様々な特性に関連付けられ得る。たとえば、ＵＥ１１０は、ボイスオーバーＩＰ（ＶｏＩＰ）呼のためのデータの転送のための１つのデータベアラ、インターネットダウンロードトラフィックのための別のデータベアラなどで構成され得る。
【００２２】
[0021]要約すれば、デフォルトデータベアラが、各々の新しいデータ接続（たとえば、各々の新しいＰＤＮ接続）と共に確立され得、そのコンテキストが、データ接続の寿命にわたって確立されたままとなり得る。デフォルトデータベアラは非保証型ビットレート（ＧＢＲ）ベアラであり得る。専用データベアラが、ＵＥ内のアップリンクパケットフィルタと、指定されたネットワーク内のダウンリンクパケットフィルタ（たとえば、ＰＤＮゲートウェイ）とに関連付けられ得、各リンクについてのパケットフィルタは、一定のパケットのみに合致する。各データベアラは無線ベアラに対応し得る。デフォルトデータベアラはベストエフォートであり得、専用データベアラのいずれかのパケットフィルタに合致しないＩＰアドレスについてのすべてのパケットを搬送し得る。専用データベアラは、（たとえば、パケットフィルタに基づいて）特定のタイプのトラフィックに関連付けられ得、一定のＱｏＳに関連付けられ得る。
【００２３】
[0022]本開示の一態様では、複数のキャリア上でのデータ送信のためにパケットレベル分割が使用され得る。パケットレベル分割とは、１つまたは複数のキャリアの複数のセット上での複数のｅＮＢにおける複数のフロー／経路を介する送信のためのデータパケットの多重分離または分割を指し、フロー／経路ごとに１つのキャリアのセットである。パケットレベル分割はまた、パケットレベルアグリゲーションとも呼ばれることがある。ＵＥは、キャリアアグリゲーションのための複数のキャリア上の複数のｅＮＢと通信し得る。ダウンリンク上でのパケットレベル分割では、ＵＥのためのパケットが、アンカーｅＮＢによって受信され得、ＵＥが通信する複数のｅＮＢの間で分割され得る。各ｅＮＢは、そのｅＮＢにおいてＵＥのために構成されたダウンリンクキャリアのセット上でＵＥにパケットを送信し得る。アップリンク上でのパケットレベル分割では、ＵＥによって送られるべきパケットが、ＵＥと通信する複数のｅＮＢの間で分割され得る。ＵＥは、そのｅＮＢにおいてＵＥのために構成されたアップリンクキャリアのセット上で各ｅＮＢにパケットを送信し得る。
【００２４】
[0023]ｅＮＢは、チャネル条件、負荷などの様々な基準に基づいて、ＵＥのパケットを送り、または受信するために選択され得る。一設計では、ｅＮＢは、パケットごとにＵＥのパケットを送り、または受信するために選択され得、その結果、特定のｅＮＢが、ＵＥの各パケットをサービスするために選択され得る。ＵＥの各パケットが、そのパケットに対して選択されたｅＮＢを介して送られ、または受信され得る。別の設計では、ｅＮＢが、パケットのグループ、または様々な方式で識別されるパケットをＵＥに送り、またはＵＥから受信するために選択され得る。
【００２５】
[0024]図２は、パケットレベル分割をサポートするネットワークアーキテクチャの例示的設計を示す。ＵＥ１１０は、キャリアアグリゲーションのための複数のｅＮＢ１３０およびｅＮＢ１３２と通信し得る。ｅＮＢ１３０はＵＥ１１０のためのアンカーｅＮＢであり得、ｅＮＢ１３２はＵＥ１１０のためのブースタｅＮＢであり得る。アンカーｅＮＢは、ＵＥのための通信を制御するために指定されたｅＮＢであり得る。アンカーｅＮＢは、サービングｅＮＢ、プライマリｅＮＢ、主ｅＮＢなどと呼ばれることもある。ブースタｅＮＢは、ＵＥとデータを交換するために、たとえば、ＵＥにデータを送信するためおよび／またはそれからデータを受信するために選択されたｅＮＢであり得る。ブースタｅＮＢは、セカンダリｅＮＢ、補足ｅＮＢなどと呼ばれることもある。ＵＥ１１０の観点からは、アンカーｅＮＢ１３０はプライマリセル（ＰＣｅｌｌ）とみなされ得、ブースタｅＮＢ１３２はセカンダリセル（ＳＣｅｌｌ）とみなされ得る。
【００２６】
[0025]ＵＥ１１０は、通信のために１つまたは複数のデータベアラと共に構成され得る。各データベアラは、アンカーｅＮＢ１３０、および場合によってはブースタｅＮＢ１３２によってサービスされ得る。ｅＮＢ１３０と１３２の両方によってサービスされる各データベアラについて、以下で説明するように、データベアラについてのパケットが、ｅＮＢ１３０と１３２の間で分割され得る。ＭＭＥ１４２は、ＵＥ１１０のデータベアラを管理し得、ＵＥ１１０の各データベアラがどのようにサービスされるか、たとえばどのｅＮＢがＵＥ１１０の各データベアラにサービスするかを決定し得る。
【００２７】
[0026]ダウンリンク上でのデータ送信では、ＵＥ１１０のためのパケットがＰＤＮゲートウェイ１４８によって受信され、サービングゲートウェイ１４６に転送され、ｅＮＢ１３０にさらに転送され得る。ｅＮＢ１３０はパケットレベル分割を実施し得、ＵＥ１１０のためのいくつかのパケットを保持し得、残りのパケットをブースタｅＮＢ１３２に転送し得る。アンカーｅＮＢ１３０は、保持したパケットを処理し、ｅＮＢ１３０においてＵＥ１１０のために構成されたダウンリンクキャリアの第１のセット上でＵＥ１１０に送信し得る。同様に、ブースタｅＮＢ１３２は、転送されたパケットを処理し、ｅＮＢ１３２においてＵＥ１１０のために構成されたダウンリンクキャリアの第２のセット上でＵＥ１１０に送信し得る。
【００２８】
[0027]アップリンク上でのデータ送信では、ＵＥ１１０は、送るためのパケットについてのパケットレベル分割を実施し得、アンカーｅＮＢ１３０に送るためのパケット、ならびにブースタｅＮＢ１３２に送るためのパケットを識別し得る。ＵＥ１１０は、アンカーｅＮＢ１３０に送るためのパケットを処理し得、アップリンクキャリアの第１のセット上でこれらのパケットをアンカーｅＮＢ１３０に送信し得る。ＵＥ１１０はまた、ブースタｅＮＢ１３２に送るためのパケットを処理し得、アップリンクキャリアの第２のセット上でこれらのパケットをブースタｅＮＢ１３２に送信し得る。ブースタｅＮＢ１３２は、ＵＥ１１０からパケットを受信して処理し得、これらのパケットをアンカーｅＮＢ１３０に転送し得る。アンカーｅＮＢ１３０は、ＵＥ１１０からパケットを受信し、ブースタｅＮＢ１３２からパケットを受信し、ＵＥ１１０およびブースタｅＮＢ１３２から受信したパケットをアグリゲートし、これらのパケットをサービングゲートウェイ１４６に転送し得る。サービングゲートウェイ１４６は、ＵＥ１１０のためのパケットをＰＤＮゲートウェイ１４８に転送し得る。
【００２９】
[0028]図２のネットワークアーキテクチャは、ＲＡＮ１２０で終端するＵＥ１１０の別々のデータベアラのアグリゲーションのための基準ネットワークアーキテクチャに対応し得る。以下で説明するように、パケットレベル分割が様々な方式で実施され得る。
【００３０】
[0029]図３は、送信機でのパケットデータ収束プロトコル（ＰＤＣＰ）、無線リンク制御（ＲＬＣ）、およびメディアアクセス制御（ＭＡＣ）についての例示的処理を示し、送信機は、アップリンク上でのデータ送信についてはＵＥであり得、またはダウンリンク上でのデータ送信についてはｅＮＢであり得る。各レイヤは、上のレイヤからサービスデータユニット（ＳＤＵ）を受信し、プロトコロルデータ単位（ＰＤＵ）を下のレイヤに提供し得る。
【００３１】
[0030]ＰＤＣＰは、ＰＤＣＰ  ＳＤＵと呼ばれることがあるＩＰパケットを受信し得る。ＰＤＣＰは、各ＩＰパケット／ＰＤＣＰ  ＳＤＵを処理し、対応するＰＤＣＰ  ＰＤＵを提供し得る。ＰＤＣＰは、上位レイヤプロトコルヘッダの圧縮、暗号化、セキュリティのためのデータの完全性保護などの様々な機能を実施し得る。ＰＤＣＰはまた、順次増加するＰＤＣＰシーケンス番号（ＳＮ）を各ＰＤＣＰ  ＰＤＵに割り当て得る。
【００３２】
[0031]ＲＬＣは、ＲＬＣ  ＳＤＵと呼ばれることがあるＰＤＣＰ  ＰＤＵを受信し得る。ＲＬＣはＲＬＣ  ＳＤＵを処理し、ＭＡＣにとって適切なサイズのＲＬＣ  ＰＤＵを提供し得る。ＲＬＣは、ＲＬＣ  ＳＤＵのセグメント化および／または連結、自動再送要求（ＡＲＱ）による誤り訂正などの様々な機能を実施し得る。ＲＬＣは、順次増加するＲＬＣ  ＳＮを各ＲＬＣ  ＰＤＵに割り当て得る。ＲＬＣはまた、受信機によって誤って受信されたＲＬＣ  ＰＤＵを再送信し得る。
【００３３】
[0032]ＭＡＣは、ＭＡＣ  ＳＤＵと呼ばれることがあるＲＬＣ  ＰＤＵを受信し得る。ＭＡＣはＭＡＣ  ＳＤＵを処理し、ＭＡＣ  ＰＤＵを物理レイヤ（ＰＨＹ）に提供し得る。ＭＡＣは、論理チャネルとトランスポートチャネルとの間のマッピング、１つまたは複数の論理チャネルに属するＭＡＣ  ＳＤＵのトランスポートブロック（ＴＢ）への多重化、ハイブリッドＡＲＱ（ＨＡＲＱ）による誤り訂正などの様々な機能を実施し得る。
【００３４】
[0033]各レイヤによって提供されるＰＤＵは、パケットとも呼ばれることがある。データ送信では、ＰＤＣＰ  ＰＤＵはＰＤＣＰパケットと呼ばれることがあり、ＲＬＣ  ＰＤＵはＲＬＣパケットと呼ばれることがあり、ＭＡＣ  ＰＤＵはＭＡＣパケットと呼ばれることがある。データ受信では、ＭＡＣ  ＳＤＵはＭＡＣパケットと呼ばれることがあり、ＲＬＣ  ＳＤＵはＲＬＣパケットと呼ばれることがあり、ＰＤＣＰ  ＳＤＵはＰＤＣＰパケットと呼ばれることがある。
【００３５】
[0034]図４Ａは、ダウンリンクデータ送信についてのＰＤＣＰレイヤにおけるパケットレベル分割の設計を示す。アンカーｅＮＢ１３０は、ＵＥ１１０（たとえば、ＵＥ１１０のために構成されたデータベアラ）についてのデータ（たとえば、ＩＰパケット）を受信し得る。アンカーｅＮＢ１３０は、受信したデータをＰＤＣＰ４１０について処理し、ＰＤＣＰパケット（たとえば、ＰＤＣＰ  ＰＤＵ）を生成し得る。アンカーｅＮＢ１３０はパケットレベル分割を実施し得、ＵＥ１１０に直接的に送信するＰＤＣＰパケットの第１のセットと、ＵＥ１１０への送信のためにブースタｅＮＢ１３２に転送するＰＤＣＰパケットの第２のセットとを決定し得る。アンカーｅＮＢ１３０は、ＰＤＣＰパケットの第１のセットをＲＬＣ４２０、ＭＡＣ４３０、およびＰＨＹ４４０について処理し得、ｅＮＢ１３０においてＵＥ１１０のために構成されたダウンリンクキャリアの第１のセット上で送られるＰＤＣＰパケットの第１のセットを備える１つまたは複数のダウンリンク信号を生成し得る。アンカーｅＮＢ１３０は、ＰＤＣＰパケットの第２のセットをブースタｅＮＢ１３２に転送し得る。ブースタｅＮＢ１３２は、ＰＤＣＰパケットの第２のセットをＲＬＣ４２２、ＭＡＣ４３２、およびＰＨＹ４４２について処理し得、ｅＮＢ１３２においてＵＥ１１０のために構成されたダウンリンクキャリアの第２のセット上で送られるＰＤＣＰパケットの第２のセットを備える１つまたは複数のダウンリンク信号を生成し得る。
【００３６】
[0035]ＵＥ１１０において、アンカーｅＮＢ１３０からのダウンリンク信号が受信され、ｅＮＢ１３０からＲＬＣパケット（たとえば、ＲＬＣ  ＰＤＵ）を得るためにＰＨＹ４５０、ＭＡＣ４６０、およびＲＬＣ４７０によって処理し得る。同様に、ブースタｅＮＢ１３２からのダウンリンク信号が受信され、ｅＮＢ１３２からＲＬＣパケットを得るためにＰＨＹ４５２、ＭＡＣ４６２、およびＲＬＣ４７２によって処理し得る。ＵＥ１１０は、ｅＮＢ１３０および１３２からＲＬＣパケットをアグリゲートし、アグリゲートしたＲＬＣパケットをＰＤＣＰ４８０について処理し、ＵＥ１１０に送られたデータ（たとえば、ＩＰパケット）を提供し得る。
【００３７】
[0036]ＵＥ１１０において、ＰＤＣＰ４８０は、ＲＬＣ４７０および４７２からのＲＬＣパケットの順序通りの送達を仮定し得る。ＲＬＣパケットが複数のｅＮＢ１３０および１３２から送られ得るので、ＲＬＣ４７０および４７２がＲＬＣパケットを順序通りにＰＤＣＰ４８０に提供し得ることを保証するための機構が使用され得る。
【００３８】
[0037]図４Ｂは、アップリンクデータ送信についてのＰＤＣＰレイヤにおけるパケットレベル分割の設計を示す。ＵＥ１１０は、（たとえば、ＵＥ１１０のために構成されたデータベアラについての）アップリンク上で送るデータ（たとえば、ＩＰパケット）を受信し得る。ＵＥ１１０は、受信したデータをＰＤＣＰ４１６について処理し、ＰＤＣＰパケットを生成し得る。ＵＥ１１０はパケットレベル分割を実施し得、アンカーｅＮＢ１３０に送信するＰＤＣＰパケットの第１のセットと、ブースタｅＮＢ１３２に送信するＰＤＣＰパケットの第２のセットとを決定し得る。ＵＥ１１０は、ＰＤＣＰパケットの第１のセットをＲＬＣ４２６、ＭＡＣ４３６、およびＰＨＹ４４６について処理し得る。ＵＥ１１０はまた、ＰＤＣＰパケットの第２のセットをＲＬＣ４２８、ＭＡＣ４３８、およびＰＨＹ４４８について処理し得る。ＵＥ１１０は、（ｉ）ｅＮＢ１３０においてＵＥ１１０のために構成されたアップリンクキャリアの第１のセット上で送られるＰＤＣＰパケットの第１のセットと、（ｉｉ）ｅＮＢ１３２においてＵＥ１１０のために構成されたアップリンクキャリアの第２のセット上で送られるＰＤＣＰパケットの第２のセットとを備える１つまたは複数のアップリンク信号を生成し得る。
【００３９】
[0038]アンカーｅＮＢ１３０において、ＵＥ１１０からのアップリンク信号が受信され、ＵＥ１１０からＲＬＣパケットを得るためにＰＨＹ４５６、ＭＡＣ４６６、およびＲＬＣ４７６によって処理し得る。同様に、ブースタｅＮＢ１３２において、ＵＥ１１０からのアップリンク信号が受信され、ＵＥ１１０からＲＬＣパケットを得るためにＰＨＹ４５８、ＭＡＣ４６８、およびＲＬＣ４７８によって処理し得る。ブースタｅＮＢ１３２は、ＵＥ１１０についてのＲＬＣパケットをアンカーｅＮＢ１３０に転送し得る。アンカーｅＮＢ１３０は、ｅＮＢ１３０および１３２によって得られたＵＥ１１０についてのＲＬＣパケットをアグリゲートし得、ＵＥ１１０についてのデータ（たとえば、ＩＰパケット）を得るために、アグリゲートしたＲＬＣパケットをＰＤＣＰ４８６について処理し得る。アンカーｅＮＢ１３０は、ＵＥ１１０についてのデータをサービングゲートウェイ１４６に送り得る。
【００４０】
[0039]図５Ａは、ダウンリンクデータ送信についてのＲＬＣレイヤにおけるパケットレベル分割の設計を示す。アンカーｅＮＢ１３０は、ＵＥ１１０についての（たとえば、ＵＥ１１０のために構成されたデータベアラについての）データ（たとえば、ＩＰパケット）を受信し得る。アンカーｅＮＢ１３０は、受信したデータをＰＤＣＰ５１０およびＲＬＣ５２０について処理し、ＲＬＣパケット（たとえば、ＲＬＣ  ＰＤＵ）を生成し得る。アンカーｅＮＢ１３０はパケットレベル分割を実施し得、ＵＥ１１０に直接的に送るＲＬＣパケットの第１のセットと、ＵＥ１１０への送信のためにブースタｅＮＢ１３２に転送するＲＬＣパケットの第２のセットとを決定し得る。アンカーｅＮＢ１３０は、ＲＬＣパケットの第１のセットをＭＡＣ５３０およびＰＨＹ５４０について処理し得、ｅＮＢ１３０においてＵＥ１１０のために構成されたダウンリンクキャリアの第１のセット上で送られるＲＬＣパケットの第１のセットを備える１つまたは複数のダウンリンク信号を生成し得る。アンカーｅＮＢ１３０は、ＲＬＣパケットの第２のセットをブースタｅＮＢ１３２に転送し得る。アンカーｅＮＢ１３０は、ブースタｅＮＢに転送されるＲＬＣパケットを事前パックまたはセグメント化し得る。ブースタｅＮＢ１３２は、ＲＬＣパケットの第２のセットをＭＡＣ５３２およびＰＨＹ５４２について処理し得、ｅＮＢ１３２においてＵＥ１１０のために構成されたダウンリンクキャリアの第２のセット上で送られるＲＬＣパケットの第２のセットを備える１つまたは複数のダウンリンク信号を生成し得る。
【００４１】
[0040]ＵＥ１１０において、アンカーｅＮＢ１３０からのダウンリンク信号が受信され、ｅＮＢ１３０からＭＡＣパケット（たとえば、ＭＡＣ  ＳＤＵ）を得るためにＰＨＹ５５０およびＭＡＣ５６０によって処理し得る。同様に、ブースタｅＮＢ１３２からのダウンリンク信号が受信され、ｅＮＢ１３２からＭＡＣパケットを得るためにＰＨＹ５５２およびＭＡＣ５６２によって処理し得る。ＵＥ１１０は、ｅＮＢ１３０および１３２からＭＡＣパケットをアグリゲートし、アグリゲートしたＭＡＣパケットをＲＬＣ５７０およびＰＤＣＰ５８０について処理し、ＵＥ１１０に送られたデータ（たとえば、ＩＰパケット）を提供し得る。
【００４２】
[0041]図５Ｂは、アップリンクデータ送信についてのＲＬＣレイヤにおけるパケットレベル分割の設計を示す。ＵＥ１１０は、（たとえば、ＵＥ１１０のために構成されたデータベアラについての）アップリンク上で送るデータ（たとえば、ＩＰパケット）を受信し得る。ＵＥ１１０は、受信したデータをＰＤＣＰ５１６およびＲＬＣ５２０について処理し、ＲＬＣパケットを生成し得る。ＵＥ１１０はパケットレベル分割を実施し得、アンカーｅＮＢ１３０に送信するＲＬＣパケットの第１のセットと、ブースタｅＮＢ１３２に送信するＲＬＣパケットの第２のセットとを決定し得る。ＵＥ１１０は、ＲＬＣパケットの第１のセットをＭＡＣ５３６およびＰＨＹ５４６について処理し得る。ＵＥ１１０はまた、ＲＬＣパケットの第２のセットをＭＡＣ５３８およびＰＨＹ５４８について処理し得る。ＵＥ１１０は、（ｉ）ｅＮＢ１３０においてＵＥ１１０のために構成されたアップリンクキャリアの第１のセット上で送られるＲＬＣパケットの第１のセットと、（ｉｉ）ｅＮＢ１３２においてＵＥ１１０のために構成されたアップリンクキャリアの第２のセット上で送られるＲＬＣパケットの第２のセットとを備える１つまたは複数のアップリンク信号を生成し得る。
【００４３】
[0042]アンカーｅＮＢ１３０において、ＵＥ１１０からのアップリンク信号が受信され、ＵＥ１１０からＭＡＣパケット（たとえば、ＭＡＣ  ＳＤＵ）を得るためにＰＨＹ５５６およびＭＡＣ５６６によって処理し得る。同様に、ブースタｅＮＢ１３２において、ＵＥ１１０からのアップリンク信号が受信され、ＵＥ１１０からＭＡＣパケットを得るためにＰＨＹ５５８およびＭＡＣ５６８によって処理し得る。ブースタｅＮＢ１３２は、ＵＥ１１０についてのＭＡＣパケットをアンカーｅＮＢ１３０に転送し得る。アンカーｅＮＢ１３０は、ｅＮＢ１３０および１３２によって得られたＵＥ１１０についてのＭＡＣパケットをアグリゲートし得、ＵＥ１１０についてのデータ（たとえば、ＩＰパケット）を得るために、アグリゲートしたＭＡＣパケットをＲＬＣ５７６およびＰＤＣＰ５８６について処理し得る。アンカーｅＮＢ１３０は、ＵＥ１１０についてのデータをサービングゲートウェイ１４６に送り得る。
【００４４】
[0043]図５Ａおよび図５Ｂに示されるように、ＲＬＣにおけるパケットレベル分割は、以下の特徴を有し得る。ｅＮＢ１３０は、たとえば、キャリアアグリゲーションと同様にダウンリンク上でのデータ送信のためのｅＮＢ１３０と１３２の両方についての共通ＲＬＣを有し得る。ＵＥ１１０は、アップリンク上でのデータ送信のためのｅＮＢ１３０と１３２の両方についての共通ＲＬＣを有し得る。各ｅＮＢは、ＵＥ１１０についてのそれ自体の独立のＭＡＣおよびＰＨＹを有し得る。ＲＬＣレイヤにおけるパケットレベル分割をサポートするために、コアネットワーク１４０に対する変更は不要であり得る。ダウンリンク上でＵＥ１１０に送られるべきデータが、アンカーｅＮＢ１３０において受信され得、アンカーｅＮＢ１３０は、ＲＬＣ  ＰＤＵを生成するためにデータを処理し得、これらのＲＬＣ  ＰＤＵを、複数のｅＮＢについてのＲＬＣ  ＰＤＵの複数のストリームに分割し得る。アンカーｅＮＢ１３０は、ＵＥ１１０に効率的にサービスするのに必要なデータトランスポートおよびフロー制御をサポートし得る、ｅＮＢ間の専有のインターフェースまたはオープンインターフェースを介して、ＵＥ１１０についてのＲＬＣ  ＰＤＵを他のｅＮＢに転送し得る。
【００４５】
[0044]ＲＬＣレイヤにおけるパケットレベル分割は、いくつかの利点をもたらし得る。第１に、アンカーｅＮＢ１３０がブースタｅＮＢ１３２のリンクステータスを認識していると仮定して、アンカーｅＮＢ１３０における共通ＲＬＣは、各ｅＮＢのリンクステータスに応じて、どれほどのＲＬＣ  ＳＤＵがＲＬＣ  ＰＤＵにセグメント化され得るかを決定する際に柔軟性を実現し得る。第２に、アンカーｅＮＢ１３０における共通ＲＬＣは、瞬間的により良好な、および／またはより負荷の低いセルから恩恵を受け得る、ｅＮＢ１３０または１３２を介するＲＬＣパケットの再送信を可能にし得る。ＲＬＣ  ＰＤＵは、異なる順序でＵＥ１１０に到着し得る。不要な再送信を避けるために、ＲＬＣ  ＰＤＵについてのタイマが適切な値に設定され得る。様々なｅＮＢを介する変化するパケット遅延のために、タイマは短すぎるべきではない。ＲＬＣ  ＰＤＵが実際に紛失し、長いタイマが性能低下につながり得るので、タイマは長すぎるべきでもない。
【００４６】
[0045]図６は、ダウンリンクデータ送信についてのＭＡＣレイヤにおけるパケットレベル分割の設計を示す。アンカーｅＮＢ１３０は、ＵＥ１１０（たとえば、ＵＥ１１０のために構成されたデータベアラ）についてのデータ（たとえば、ＩＰパケット）を受信し得る。アンカーｅＮＢ１３０は、受信したデータをＰＤＣＰ６１０、ＲＬＣ６２０、およびＭＡＣ６３０について処理し、ＭＡＣパケット（たとえば、ＭＡＣ  ＰＤＵ）を生成し得る。アンカーｅＮＢ１３０はパケットレベル分割を実施し得、ＵＥ１１０に直接的に送信するＭＡＣパケットの第１のセットと、ＵＥ１１０への送信のためにブースタｅＮＢ１３２に転送するＭＡＣパケットの第２のセットとを決定し得る。アンカーｅＮＢ１３０は、ＭＡＣパケットの第１のセットをＰＨＹ６４０について処理し得、ｅＮＢ１３０においてＵＥ１１０のために構成されたダウンリンクキャリアの第１のセット上で送られるＭＡＣパケットの第１のセットを備える１つまたは複数のダウンリンク信号を生成し得る。アンカーｅＮＢ１３０は、ＭＡＣパケットの第２のセットをブースタｅＮＢ１３２に転送し得る。ブースタｅＮＢ１３２は、ＭＡＣパケットの第２のセットをＰＨＹ６４２について処理し得、ｅＮＢ１３２においてＵＥ１１０のために構成されたダウンリンクキャリアの第２のセット上で送られるＭＡＣパケットの第２のセットを備える１つまたは複数のダウンリンク信号を生成し得る。
【００４７】
[0046]ＵＥ１１０において、アンカーｅＮＢ１３０からのダウンリンク信号が受信され、ｅＮＢ１３０からＰＨＹパケットを得るためにＰＨＹ６５０によって処理し得る。同様に、ブースタｅＮＢ１３２からのダウンリンク信号が受信され、ｅＮＢ１３２からＰＨＹパケットを得るためにＰＨＹ６５２によって処理し得る。ＵＥ１１０は、ｅＮＢ１３０および１３２からＰＨＹパケットをアグリゲートし、アグリゲートしたＰＨＹパケットをＭＡＣ６６０、ＲＬＣ６７０、およびＰＤＣＰ６８０について処理し、ＵＥ１１０に送られたデータ（たとえば、ＩＰパケット）を提供し得る。
【００４８】
[0047]アップリンクデータ送信についてのＭＡＣレイヤにおけるパケットレベル分割が、ダウンリンクデータ送信についてと同様に実施され得る。ダウンリンク上でのデータ送信では、ＭＡＣ６３０は、ｅＮＢ１３０および１３２を介して送られるＭＡＣパケットについてのＨＡＲＱフィードバックを受信し得、ＵＥ１１０によって誤って受信されたＭＡＣパケットの再送信をスケジューリングし得る。アップリンク上でのデータ送信では、ＵＥ１１０におけるＭＡＣは、ｅＮＢ１３０および１３２に送られるＭＡＣパケットについてのＨＡＲＱフィードバックを受信し得、ｅＮＢ１３０または１３２によって誤って受信されたＭＡＣパケットの再送信をスケジューリングし得る。
【００４９】
[0048]図４Ａから図６は、ＵＥ１１０についてのデータが、ＰＤＣＰ、ＲＬＣ、またはＭＡＣアグリゲーションでパケットレベルにおいて分割されることを示す。一設計では、図４Ａから図６で（たとえば、ｅＮＢ１３０またはＵＥ１１０において）ＰＤＣＰに提供されるデータは、ＵＥ１１０についての１つのデータベアラ／ＥＰＳベアラに対応し得る。ＵＥ１１０は複数のデータベアラを有し得る。一設計では、図４Ａ、図４Ｂ、図５Ａ、図５Ｂ、または図６に示される処理は、Ｋ個のデータベアラについてＫ回複製され得、各データベアラについてのデータが、図４Ａ、図４Ｂ、図５Ａ、図５Ｂ、または図６に示されるように処理され得る。別の設計では、複数のデータベアラについてのデータが、図４Ａ、図４Ｂ、図５Ａ、図５Ｂ、または図６に示されるように処理され得る。
【００５０】
[0049]表１は、図４Ａから図５Ｂに示される例示的設計についてのＰＤＣＰおよびＲＬＣにおけるパケットレベル分割の様々な特性を要約する。  
【００５１】
【表１】
2016522606.tif 000003
【００５２】
[0050]ＬＴＥ  Ｒｅｌｅａｓｅ  １０では、ＵＥ１１０は、ＵＥ１１０についてのプライマリセルであり得る単一のセルにアップリンク制御情報（ＵＣＩ）を送り得る。ＵＣＩは、ダウンリンクデータ送信についての肯定応答／否定応答（ＡＣＫ／ＮＡＣＫ）、周期的にレポートされるチャネル状態情報（ＣＳＩ）などを含み得る。アグリゲーションが下位レイヤ（たとえば、ＲＬＣまたはＭＡＣ）において行われるとき、この概念を保持し、ＵＥ１１０に、単一の物理アップリンク制御チャネル（ＰＵＣＣＨ）上でプライマリセルにＵＣＩを送らせることが可能であり得る。
【００５３】
[0051]ＵＥ１１０は、プライマリセルおよび１つまたは複数の追加のセルと通信し得、各々の追加のセルは、ＵＥ１１０についてのセカンダリセルと呼ばれる。プライマリセルおよびセカンダリセルは、異なる無線アクセス技術（ＲＡＴ）を利用し得る。たとえば、プライマリセルはＬＴＥを利用し得、セカンダリセルはＷｉ−Ｆｉを利用し得る。
【００５４】
[0052]一設計では、非ＬＴＥセカンダリセルは、非ＬＴＥセルに対して送るためのＵＣＩの観点からは、ＬＴＥセカンダリセルとみなされ得る。非ＬＴＥ  ＲＡＴのフィードバックペイロードが、既存のＬＴＥ制御フォーマットと合致するように適切に調節され得る。さらに、ＵＣＩは、乱されない動作を可能とするために、異なるＲＡＴのタイムラインに基づいて送られ得る。問題および解決策はＲＡＴ依存であり得、良好な性能を得るために各ＲＡＴ（たとえば、Ｗｉ−Ｆｉ、ＨＳＰＡなど）について別々に対処され得る。
【００５５】
[0053]別の設計では、非ＬＴＥセカンダリセルは、非ＬＴＥセルに対して送るためのＵＣＩの観点からは、新しいタイプのセカンダリセルとみなされ得る。この設計では、ＵＣＩは様々な方式で送られ得る。たとえば、キャリアアグリゲーションについてのアグリゲートされたセル間で、独立したアップリンク動作が可能にされ得る。別の例として、単一のＰＵＣＣＨが１つまたは複数のＬＴＥセルについてのＵＣＩを搬送し得、物理アップリンク共有チャネル（ＰＵＳＣＨ）が１つまたは複数の非ＬＴＥセルについてのＵＣＩを搬送し得る。
【００５６】
[0054]ＬＴＥ  Ｒｅｌｅａｓｅ  １０では、異なるセルが、独立してダウンリンク制御情報（ＤＣＩ）をＵＥ１１０に送り得る。ＤＣＩは、ダウンリンクグラントと、アップリンクグラントと、アップリンクデータ送信についてのＡＣＫ／ＮＡＣＫなどを含み得る。この概念がキャリアアグリゲーションに拡張され得、ＵＥ１１０についてのキャリアアグリゲーションをサポートする複数のセルが、別々にＤＣＩをＵＥ１１０に送り得る。唯一の影響は、（本来はこの機能を潜在的にサポートしない）非ＬＴＥセルについてのこのコマンドの解釈を必要とし得るクロスキャリア制御に関係付けられ得る。
【００５７】
[0055]ＬＴＥ  Ｒｅｌｅａｓｅ  １０では、単一のＭＡＣ  ＰＤＵが、一度に１つまたは複数のセカンダリセルを活動化／非活動化し得る。この機能はＬＴＥセルのみに限定され得、または非ＬＴＥセルに拡張され得る。この機能がすべてのセルに適用可能である場合、セル活動化／非活動化の挙動およびタイミングに関して規則が確立され得、たとえば、ＬＴＥ規則に従い（これは、タイミングの点で常に実現可能であるとは限らないことがある）、または非ＬＴＥセルの規則に従い（活動化／非活動化機能が定義される場合）、そのケースでは、ＬＴＥでのＭＡＣがこれらの規則をサポートするように修正され得る。
【００５８】
[0056]ＬＴＥ  Ｒｅｌｅａｓｅ  １０では、新しいセル構成がプライマリセルによって提供され得、すべての関係するシステム情報を含み得、したがってＵＥ１１０は、セカンダリセルのシステム情報ブロック（ＳＩＢ）を読み取る必要はない。同じ概念はキャリアアグリゲーションに拡張され得る。あるいは、ダウンリンク動作が分離される場合、この機能も分離され得、ＵＥ１１０は、非ＬＴＥセカンダリセルから直接的にシステム情報を読み取るか否かを決定し得る。
【００５９】
[0057]ＵＥ１１０は、ＬＴＥ  Ｒｅｌｅａｓｅ  １０でプライマリセルのみを介して、さらにはＬＴＥ  Ｒｅｌｅａｓｅ  １１ではワイヤレスネットワークによって命令されるときにセカンダリセルを介して、ランダムアクセスを実施し得る。ＵＥ１１０がアップリンク上でただ１つのセルのみと通信し得る場合、ランダムアクセスがプライマリセルだけに限定され得る。あるいは、ＵＥ１１０がアップリンク上で複数のセル（少なくとも１つの非ＬＴＥセルを含み得る）と通信し得る場合、非ＬＴＥ  ＲＡＴについて定義されるランダムアクセスプロシージャが可能にされ得る。
【００６０】
[0058]ＵＥ１１０が、キャリアアグリゲーションのために複数のダウンリンクキャリアおよび／または複数のアップリンクキャリアで構成され得る。さらに、ＵＥ１１０は、キャリアアグリゲーションのために複数のｅＮＢと通信し得る。一設計では、ＵＥ１１０は、そのｅＮＢにおいてＵＥ１１０のために構成された１つまたは複数のダウンリンクキャリアのセットおよび１つまたは複数のアップリンクキャリアのセット上で各ｅＮＢと通信し得る。たとえば、ＵＥ１１０は、ダウンリンクキャリアの第１のセットおよびアップリンクキャリアの第１のセット上でアンカーｅＮＢ１３０と通信し得、ダウンリンクキャリアの第２のセットおよびアップリンクキャリアの第２のセット上でブースタｅＮＢ１３２と通信し得る。一設計では、各リンクについて、アンカーｅＮＢ１３０についてのキャリアの第１のセットは、ブースタｅＮＢ１３２についてのキャリアの第２のセットと非オーバーラップであり得る。この設計では、ＵＥ１１０は、各キャリア上でただ１つのｅＮＢ１３０または１３２と通信し得る。別の設計では、各リンクについて、キャリアの第１のセットはキャリアの第２のセットとオーバーラップし得る。この設計では、ＵＥ１１０は、あるキャリア上でｅＮＢ１３０と１３２の両方と通信し得、別のキャリア上でｅＮＢ１３０または１３２のみと通信し得る。一般には、ＵＥ１１０は、各リンクについて複数のｅＮＢについてのキャリアのオーバーラップまたは非オーバーラップセットと共に構成され得る。
【００６１】
[0059]フローは、ＵＥについて（たとえば、１つのデータベアラについての）１つのｅＮＢを介して送られるパケットのストリームを指すことがある。図４Ａから図６に示される設計では、２つのｅＮＢ１３０および１３２においてＵＥ１１０について２つのフローが存在し得、各ｅＮＢにおいて１つのフローである。一設計では、フロー−キャリアマッピングについて、ｅＮＢにおけるＵＥについてのフローが、ｅＮＢにおいてＵＥのために構成された１つまたは複数のキャリアのセットにマッピングされ得る。このフロー−キャリアマッピングは、アグリゲーションが図４Ａおよび図４Ｂに示されるようにＰＤＣＰレイヤであるか、それとも図５Ａおよび図５Ｂに示されるようにＲＬＣレイヤであるか、それとも図６に示されるようにＭＡＣレイヤであるかの如何に関わらず適用可能であり得る。
【００６２】
[0060]図７Ａは、２つのｅＮＢ１３０および１３２におけるキャリアの非オーバーラップセット上でのＵＥ１１０へのダウンリンクデータについての送信フロー−キャリアマッピングの一例を示す。この例では、ＵＥ１１０は、アンカーｅＮＢ１３０を介する第１のフロー７１０と、ブースタｅＮＢ１３２を介する第２のフロー７１２とを有する。ＵＥ１１０はまた、アンカーｅＮＢ１３０における第１のダウンリンクキャリア７３０と、ブースタｅＮＢ１３２における第２のダウンリンクキャリア７３２と共に構成される。図７Ａに示される例では、第１のフロー７１０が、アンカーｅＮＢ１３０において第１のキャリア７３０にマッピングされる。第２のフロー７１２が、ブースタｅＮＢ１３２において第２のキャリア７３２にマッピングされる。
【００６３】
[0061]図７Ａは、各フローが１つのｅＮＢにおいて１つの排他的キャリアにマッピングされる設計を示す。排他的キャリアは、ＵＥについてただ１つのｅＮＢによって使用されるキャリアである。ＵＥ１１０は、異なるｅＮＢにおける複数のキャリアを介して、各キャリア上でただ１つのｅＮＢに接続され得る。一般には、フローは、所与のｅＮＢにおいて任意の数のキャリアにマッピングされ得る。異なるフローが、同数のキャリアまたは異なる数のキャリアにマッピングされ得る。たとえば、Ｍ≧１およびＮ≧１として、第１のフロー７１０がＭ個のキャリアにマッピングされ得、第２のフロー７１２がＮ個のサブキャリアにマッピングされ得る。任意の数のＵＥが、そのフローについて所与の／同一のキャリアを使用し得る。
【００６４】
[0062]図７Ｂは、２つのｅＮＢ１３０および１３２におけるキャリアのオーバーラップセット上でのＵＥ１１０へのダウンリンクデータ送信についてのフロー−キャリアマッピングの一例を示す。この例では、ＵＥ１１０は、アンカーｅＮＢ１３０を介する第１のフロー７５０と、ブースタｅＮＢ１３２を介する第２のフロー７５２とを有する。ＵＥ１１０はまた、アンカーｅＮＢ１３０における２つのダウンリンクキャリア７７０および７７２と、ブースタｅＮＢ１３２における同一のダウンリンクキャリア７７０および７７２と共に構成される。図７Ｂに示される例では、第１のフロー７５０が、アンカーｅＮＢ１３０において２つのキャリア７７０および７７２にマッピングされる。第２のフロー７５２も、ブースタｅＮＢ１３２において同一の２つのキャリア７７０および７７２にマッピングされる。
【００６５】
[0063]図７Ｂは、各フローが１つのｅＮＢにおいて共有キャリアにマッピングされる設計を示す。共有キャリアは、ＵＥについて複数のｅＮＢによって使用されるキャリアである。ＵＥ１１０は、異なるｅＮＢにおける複数のキャリアに接続され得、たとえば時分割多重化（ＴＤＭ）または周波数分割多重化（ＦＤＭ）式に、所与のキャリア上で複数のｅＮＢから受信し得る（したがって、それに接続され得る）。
【００６６】
[0064]図７Ａおよび図７Ｂの設計は、同一のタイプのｅＮＢ、たとえばマクロｅＮＢについて使用され得る。これらの設計はまた、異なる周波数スペクトルで動作し得、および／または異なるＲＡＴを使用し得る、異なるタイプのｅＮＢ（たとえば、マクロｅＮＢおよびホームｅＮＢ）について使用され得る。たとえば、これらの設計は、ＬＴＥおよびＷｉ−Ｆｉアグリゲーションについて使用され得る。複数のキャリアのオーバーラップまたは非オーバーラップセット上での複数のｅＮＢにおける複数のフローをマッピングすることは、より高いスケジューリング柔軟性と、より良好なロードバランシングとを実現し得る。一般には、キャリアが、ＵＥについての任意の数のフローについて使用され得、任意の数のキャリアが、複数のフローについて使用され得る。キャリアアグリゲーションのためにＵＥについて構成されたキャリアのすべてまたはサブセットが、複数のｅＮＢにおいて複数のフローについて使用され得る。
【００６７】
[0065]本開示の別の態様では、ＵＥは、異なるセルにおいて互いに素なアップリンクおよびダウンリンクデータチャネルと共に構成され得、たとえばキャリアアグリゲーションのために、アップリンクおよびダウンリンク上でこれらの異なるセルによってサービスされ得る。少なくとも１つのセルの第１のセットが、ダウンリンク上のＵＥにサービスするために選択され得る。第１のセット内の各セルにより、ダウンリンクデータチャネル、たとえば物理ダウンリンク共有チャネル（ＰＤＳＣＨ）がＵＥに割り当てられ得る。ＵＥは、そのセルにおいてＵＥのために構成されたＰＤＳＣＨ上で第１のセット内の各セルからダウンリンクデータ送信を受信し得る。少なくとも１つのセルの第２のセットが、アップリンク上でＵＥにサービスするために選択され得る。第２のセット内の各セルにより、アップリンクデータチャネル、たとえばＰＵＳＣＨがＵＥに割り当てられ得る。ＵＥは、セルにおいてＵＥのために構成されたＰＵＳＣＨ上で第２のセット内の任意のセルにアップリンクデータ送信を送り得る。
【００６８】
[0066]図８は、ＵＥ１１０についての２つのセル１２２および１２４における互いに素なアップリンクおよびダウンリンクデータチャネルの設計を示す。セル１２２が、ダウンリンク上でＵＥ１１０にサービスするために選択され得る。セル１２４が、アップリンク上でＵＥ１１０にサービスするために選択され得る。各セルは、チャネル条件、セル負荷などの様々な基準に基づいて、所与のリンク上でＵＥ１１０にサービスするために選択され得る。一設計では、セル１２２および１２４は、同一のｅＮＢ、たとえばアンカーｅＮＢ１３０の部分であり得る。別の設計では、セル１２２および１２４は、異なるｅＮＢ、たとえばアンカーｅＮＢ１３０およびブースタｅＮＢ１３２の部分であり得る。
【００６９】
[0067]図８に示される設計では、ＵＥ１１０は、セル１２２についてのＰＤＳＣＨ、物理ダウンリンク制御チャネル（ＰＤＣＣＨ）、およびＰＵＣＣＨと共に構成され得る。ＵＥ１１０はまた、セル１２４についてのＰＵＳＣＨ、ＰＤＣＣＨ、および物理ＨＡＲＱインジケータチャネル（ＰＨＩＣＨ）と共に構成され得る。ＵＥ１１０は、セル１２２についての任意の数のダウンリンクキャリアと、セル１２４についての任意の数のアップリンクキャリアで構成され得る。
【００７０】
[0068]一設計では、セル１２２は、ＵＥ１１０についての以下の物理チャネルをサポートし得る。  
・ＰＤＳＣＨ−セル１２２からＵＥ１１０にダウンリンクデータを搬送する、  
・ＰＤＣＣＨ−セル１２２からＵＥ１１０にダウンリンクスケジューリングを搬送する、および  
・ＰＵＣＣＨ−ＵＥ１１０からセル１２２にＡＣＫ／ＮＡＣＫおよびＣＳＩフィードバックを搬送する。
【００７１】
[0069]一設計では、セル１２４は、ＵＥ１１０についての以下の物理チャネルをサポートし得る。  
・ＰＵＳＣＨ−ＵＥ１１０からセル１２４に、アップリンクデータ、スケジューリング要求（ＳＲ）、およびサウンディング基準信号（ＳＲＳ）を搬送する、  
・ＰＤＣＣＨ−セル１２４からＵＥ１１０にアップリンクスケジューリングを搬送する、  
・ＰＨＩＣＨ−ＰＵＳＣＨ上でのアップリンクデータ送信のためにセル１２４からＵＥ１１０にＡＣＫ／ＮＡＣＫを搬送する。
【００７２】
[0070]ＵＥ１１０は、セル１２２についてのＰＵＳＣＨと共に構成されないことがある。ＵＥ１１０は、セル１２２についての測定レポートをＰＵＣＣＨ上でセル１２２に、またはＰＵＳＣＨ上でセル１２４に、または何らかの他の機構を介して送り得る。
【００７３】
[0071]図９は、ワイヤレスネットワーク内でデータを送るためのプロセス９００の設計を示す。プロセス９００は、基地局、リレー、または何らかの他のエンティティであり得る第１のノードによって実施され得る。第１のノードは、ＵＥについてのデータを、たとえばサービングゲートウェイから受信し得る（ブロック９１２）。第１のノードは、ＵＥについてのパケットを生成するために、第１のノードにおいて受信したデータを処理し得る（ブロック９１４）。第１のノードは、第１のフローと第２のフローとを備える複数のフローにパケットを分離し得る（ブロック９１６）。第１のノードは、少なくとも１つのキャリアの第１のセットを介して、第１のフロー内のパケットをＵＥに送り得る（ブロック９１８）。第１のノードは、少なくとも１つのキャリアの第２のセットを介するＵＥへの送信のために、第２のフロー内のパケットを第２のノードに転送し得る（ブロック９２０）。
【００７４】
[0072]ＵＥは、キャリアアグリゲーションのための複数のキャリアで構成され得る。少なくとも１つのキャリアの第１および第２のセットが、ＵＥのために構成された複数のキャリアに基づいて決定され得る。たとえば、第１および第２のセットは、ＵＥのために構成された複数のキャリアの異なるサブセットに対応し得る。一設計では、第１および第２のセットは非オーバーラップであり得、別個のキャリアを含み得、キャリア第１のセットは第２のセットに含まれない。別の設計では、第１および第２のセットはオーバーラップし得、第１のセットと第２のセットの両方の中に存在する少なくとも１つの共通キャリアを含み得る。さらに別の設計では、第１のセットは、たとえば図７Ｂに示されるような、第２のセットと同一であり得る。すべての設計について、第１のノードは、第１のフロー、またはＵＥ、あるいはその両方に対して適用可能な構成に基づいて、第１のフロー内のパケットをＵＥに送るのに使用するための、少なくとも１つのキャリアの第１のセット上のリソースを決定し得る。
【００７５】
[0073]一設計では、たとえば図４Ａに示されるように、ＰＤＣＰレイヤにおけるアグリゲーションがサポートされ得る。ブロック９１４から９２０では、第１のノードは、ＵＥについてのＰＤＣＰパケットを生成するために、ＰＤＣＰについての受信したデータを処理し得る。第１のノードは、少なくとも１つのキャリアの第１のセットにマッピングされる第１のフロー内のＰＤＣＰパケットを備える少なくとも１つのダウンリンク信号を生成するために、第１のフロー内のＰＤＣＰパケットをＲＬＣ、ＭＡＣ、およびＰＨＹについて処理し得る。第１のノードは、第２のフロー内のＰＤＣＰパケットを第２のノードに転送し得る。
【００７６】
[0074]別の設計では、たとえば図５Ａに示されるように、ＲＬＣレイヤにおけるアグリゲーションがサポートされ得る。ブロック９１４から９２０では、第１のノードは、ＵＥについてのＲＬＣパケットを生成するために、受信したデータをＰＤＣＰおよびＲＬＣについて処理し得る。第１のノードは、少なくとも１つのキャリアの第１のセットにマッピングされる第１のフロー内のＲＬＣパケットを備える少なくとも１つのダウンリンク信号を生成するために、第１のフロー内のＲＬＣパケットをＭＡＣおよびＰＨＹについて処理し得る。第１のノードは、第２のフロー内のＲＬＣパケットを第２のノードに転送し得る。
【００７７】
[0075]一設計では、第１および第２のノードは、ＷＡＮ内の２つの基地局に対応し得る。別の設計では、第１のノードは、ＷＡＮ内の基地局に対応し得、第２のノードは、ＷＬＡＮ内のアクセスポイントに対応し得る。第１および第２のノードはまた、他のエンティティに対応し得る。
【００７８】
[0076]図１０は、ワイヤレスネットワーク内でデータを受信するためのプロセス１０００の設計を示す。プロセス１０００は、以下で説明するように、ＵＥによって、または何らかの他のエンティティによって実施され得る。ＵＥは、少なくとも１つのキャリアの第１のセットを介して第１のノードからＵＥに送られる第１のフロー内のパケットを受信し得る（ブロック１０１２）。ＵＥはまた、少なくとも１つのキャリアの第２のセットを介して第２のノードからＵＥに送られる第２のフロー内のパケットを受信し得る（ブロック１０１４）。第２のフロー内のパケットは、第１のノードによって生成され、第２のノードに転送され得る。ＵＥは、キャリアアグリゲーションのための複数のキャリアで構成され得る。少なくとも１つのキャリアの第１および第２のセットが、ＵＥのために構成された複数のキャリアに基づいて決定され得る。ＵＥは、第１のフロー内のパケットと、第２のフロー内のパケットとをアグリゲートし得る（ブロック１０１６）。ＵＥは、ＵＥについてのデータを得るために、アグリゲートしたパケットを処理し得る（ブロック１０１８）。
【００７９】
[0077]一設計では、たとえば図４Ａに示されるように、ＰＤＣＰレイヤにおけるアグリゲーションがサポートされ得る。ブロック１０１２から１０１８では、ＵＥは、第１のフロー内のＲＬＣパケットを得るために、第１のノードからの少なくとも１つの第１のダウンリンク信号をＰＨＹ、ＭＡＣ、およびＲＬＣについて処理し得る。ＵＥはまた、第２のフロー内のＲＬＣパケットを得るために、第２のノードからの少なくとも１つの第２のダウンリンク信号をＰＨＹ、ＭＡＣ、およびＲＬＣについて処理し得る。アグリゲートしたパケットはＲＬＣパケットを備え得る。ＵＥは、ＵＥについてのデータを得るために、ＲＬＣパケットをＰＤＣＰについて処理し得る。
【００８０】
[0078]別の設計では、たとえば図５Ａに示されるように、ＲＬＣレイヤにおけるアグリゲーションがサポートされ得る。ブロック１０１２から１０１８では、ＵＥは、第１のフロー内のＭＡＣパケットを得るために、第１のノードからの少なくとも１つの第１のダウンリンク信号をＰＨＹおよびＭＡＣについて処理し得る。ＵＥはまた、第２のフロー内のＭＡＣパケットを得るために、第２のノードから少なくとも１つの第２のダウンリンク信号をＰＨＹおよびＭＡＣについて処理し得る。アグリゲートしたパケットはＭＡＣパケットを備え得る。ＵＥは、ＵＥについてのデータを得るために、ＭＡＣパケットをＲＬＣおよびＰＤＣＰについて処理し得る。
【００８１】
[0079]図１１は、ワイヤレスネットワーク内でデータを送るためのプロセス１１００の設計を示す。プロセス１１００は、以下で説明するように、ＵＥによって、または何らかの他のエンティティによって実施され得る。ＵＥは、アップリンク上の送信のためにデータを受信し得る（ブロック１１１２）。ＵＥは、パケットを生成するために、受信したデータを処理し得る（ブロック１１１４）。ＵＥは、第１のフローと、第２のフローとを備える複数のフローにパケットを分離し得る（ブロック１１１６）。ＵＥは、少なくとも１つのキャリアの第１のセットを介して、第１のフロー内のパケットを第１のノードに送り得る（ブロック１１１８）。ＵＥは、少なくとも１つのキャリアの第２のセットを介して、第２のフロー内のパケットを第２のノードに送り得る（ブロック１１２０）。第２のフロー内のパケットは、第２のノードから第１のノードに転送され得る。ＵＥは、キャリアアグリゲーションのための複数のキャリアで構成され得る。少なくとも１つのキャリアの第１および第２のセットが、ＵＥのために構成された複数のキャリアに基づいて決定され得る（たとえば、ＵＥのために構成された複数のキャリアの異なるサブセットに対応し得る）。
【００８２】
[0080]一設計では、たとえば図４Ｂに示されるように、ＰＤＣＰレイヤにおけるアグリゲーションがサポートされ得る。ブロック１１１４から１１２０では、ＵＥは、ＰＤＣＰパケットを生成するために、受信したデータをＰＤＣＰについて処理し得、第１のフロー内のＰＤＣＰパケットと、第２のフロー内のＰＤＣＰパケットとにＰＤＣＰパケットを分離し得る。ＵＥは、少なくとも１つのキャリアの第１のセットにマッピングされる第１のフロー内のＰＤＣＰパケットを備える少なくとも１つのアップリンク信号を生成するために、第１のフロー内のＰＤＣＰパケットをＲＬＣ、ＭＡＣ、およびＰＨＹについて処理し得る。ＵＥはまた、少なくとも１つのキャリアの第２のセットにマッピングされる第２のフロー内のＰＤＣＰパケットを備える少なくとも１つのアップリンク信号を生成するために、第２のフロー内のＰＤＣＰパケットをＲＬＣ、ＭＡＣ、およびＰＨＹについて処理し得る。
【００８３】
[0081]一設計では、たとえば図５Ｂに示されるように、ＲＬＣレイヤにおけるアグリゲーションがサポートされ得る。ブロック１１１４から１１２０では、ＵＥは、ＲＬＣパケットを生成するために、受信したデータをＰＤＣＰおよびＲＬＣについて処理し得る。ＵＥは、第１のフロー内のＲＬＣパケットと、第２のフロー内のＲＬＣパケットとにＲＬＣパケットを分離し得る。ＵＥは、少なくとも１つのキャリアの第１のセットにマッピングされる第１のフロー内のＲＬＣパケットを備える少なくとも１つのアップリンク信号を生成するために、第１のフロー内のＲＬＣパケットをＭＡＣおよびＰＨＹについて処理し得る。ＵＥは、少なくとも１つのキャリアの第２のセットにマッピングされる第２のフロー内のＲＬＣパケットを備える少なくとも１つのアップリンク信号を生成するために、第２のフロー内のＲＬＣパケットをＭＡＣおよびＰＨＹについて処理し得る。
【００８４】
[0082]図１２は、ワイヤレスネットワーク内でデータを受信するためのプロセス１２００の設計を示す。プロセス１２００は、基地局、リレー、または何らかの他のエンティティであり得る第１のノードによって実施され得る。第１のノードは、少なくとも１つのキャリアの第１のセットを介してＵＥから第１のノードに送られた第１のフロー内のパケットを受信し得る（ブロック１２１２）。第１のノードは、少なくとも１つのキャリアの第２のセットを介してＵＥから第２のノードに送られた第２のフロー内のパケットを受信し得る（ブロック１２１４）。第２のフロー内のパケットが処理され、次いで第２のノードから第１のノードに転送される。ＵＥは、キャリアアグリゲーションのための複数のキャリアで構成され得る。少なくとも１つのキャリアの第１および第２のセットが、ＵＥのために構成された複数のキャリアに基づいて決定され得る。第１のノードは、第１のフロー内のパケットと、第２のフロー内のパケットとをアグリゲートし得る（ブロック１２１６）。第１のノードは、ＵＥについてのデータを得るために、アグリゲートしたパケットを処理し得る（ブロック１２１８）。
【００８５】
[0083]一設計では、たとえば図４Ｂに示されるように、ＰＤＣＰレイヤにおけるアグリゲーションがサポートされ得る。ブロック１２１２から１２１８では、第１のノードは、第１のフロー内のＲＬＣパケットを得るために、ＵＥからの少なくとも１つのアップリンク信号をＰＨＹ、ＭＡＣ、およびＲＬＣについて処理し得る。アグリゲートしたパケットはＲＬＣパケットを備え得る。第１のノードは、ＵＥについてのデータを得るために、ＲＬＣパケットをＰＤＣＰについて処理し得る。
【００８６】
[0084]別の設計では、たとえば、図５Ｂに示されるように、ＲＬＣレイヤにおけるアグリゲーションがサポートされ得る。ブロック１２１２から１２１８では、第１のノードは、第１のフロー内のＭＡＣパケットを得るために、ＵＥからの少なくとも１つのアップリンク信号をＰＨＹおよびＭＡＣについて処理し得る。アグリゲートしたパケットはＭＡＣパケットを備え得る。第１のノードは、ＵＥについてのデータを得るために、ＭＡＣパケットをＲＬＣおよびＰＤＣＰについて処理し得る。
【００８７】
[0085]図１３は、ワイヤレスネットワーク内でデータを送るためのプロセス１３００の設計を示す。プロセス１３００は、以下で説明するように、ＵＥによって、または何らかの他のエンティティによって実施され得る。ＵＥは、少なくとも１つのキャリアの第１のセットを介してダウンリンクデータチャネル（たとえば、ＰＤＳＣＨ）上で第１のセルからＵＥに送られたデータを受信し得る（ブロック１３１２）。ＵＥは、少なくとも１つのキャリアの第２のセットを介してアップリンクデータチャネル（たとえば、ＰＵＳＣＨ）上でアップリンクデータを第２のセルに送り得る（ブロック１３１４）。ＵＥは、第２のセルについてのダウンリンクデータチャネルと共に構成されないことがある。
【００８８】
[0086]少なくとも１つのキャリアの第１のセットは、少なくとも１つのキャリアの第２のセットとは異なり、または同一であり得る。一設計では、ＵＥは、キャリアアグリゲーションのための複数のキャリアで構成され得る。少なくとも１つのキャリアの第１および第２のセットが、ＵＥのために構成された複数のキャリアに基づいて決定され得る（たとえば、ＵＥのために構成された複数のキャリアの異なるサブセットに対応し得る）。たとえば、複数のキャリアの各々は、少なくとも１つのキャリアの第１および第２のセットのうちの多くても１つの中に含まれ得る。
【００８９】
[0087]ＵＥは、アップリンク制御チャネル（たとえば、ＰＵＣＣＨ）上でＵＣＩを第１のセルに送り得る（ブロック１３１６）。ＵＣＩは、第１のセルおよび／またはＣＳＩから受信したダウンリンクデータについてのＡＣＫ／ＮＡＣＫを備え得る。
【００９０】
[0088]一設計では、ＵＥは、第１のダウンリンク制御チャネル（たとえば、第１のＰＤＣＣＨ）上で第１のセルからＵＥに送られた第１のＤＣＩを受信し得る（ブロック１３１８）。第１のＤＣＩは、ダウンリンクデータチャネル上でのダウンリンクデータ送信についてＵＥをスケジューリングするダウンリンクグラントを備え得る。ＵＥは、第２のダウンリンク制御チャネル上で第２のセルからＵＥに送られた第２のＤＣＩを受信し得る（ブロック１３２０）。第２のＤＣＩは、アップリンクデータチャネル上でのアップリンクデータ送信についてＵＥをスケジューリングするアップリンクグラントを備え得る。ＵＥは、第２のセルに送られたアップリンクデータについてのＡＣＫ／ＮＡＣＫを受信し得、ＡＣＫ／ＮＡＣＫは、第２のセルによってダウンリンク制御チャネル（たとえば、ＰＨＩＣＨ）上でＵＥに送られる（ブロック１３２２）。
【００９１】
[0089]図１４は、図１のＵＥ１１０およびｅＮＢ／基地局１３０の例示的設計のブロック図を示す。ｅＮＢ１３０は、Ｔアンテナ１４３４ａから１４３４ｔを備え得、ＵＥ１１０は、Ｒアンテナ１４５２ａから１４５２ｒを備え得、一般にはＴ≧１およびＲ≧１である。
【００９２】
[0090]ｅＮＢ１３０において、送信プロセッサ１４２０は、データソース１４１２から１つまたは複数のＵＥのためのデータを受信し、コントローラ／プロセッサ１４４０から制御情報を受信し得る。データソース１４１２は、ｅＮＢ１３０によってサービスされるＵＥ１１０および他のＵＥのための１つまたは複数のデータバッファを実装し得る。制御情報は、ダウンリンクグラント、アップリンクグラント、ＡＣＫ／ＮＡＣＫ、構成メッセージなどを備え得る。送信プロセッサ１４２０は、データと制御情報とを処理（たとえば、符号化、インターリーブ、およびシンボルマッピング）し、それぞれデータシンボルと制御シンボルとを取得し得る。送信プロセッサ１４２０はまた、１つまたは複数の基準信号のための基準シンボルを生成し得る。送信（ＴＸ）多入力多出力（ＭＩＭＯ）プロセッサ１４３０は、適用可能な場合、データシンボル、制御シンボル、および／または参照符号に対する空間処理（たとえば、プリコーディング）を実施し得、Ｔ個の出力シンボルストリームをＴ個の変調器（ＭＯＤ）１４３２ａから１４３２ｔに提供し得る。各変調器１４３２は、（たとえば、ＯＦＤＭ、ＳＣ−ＦＤＭＡ、ＣＤＭＡなどのために）それぞれの出力シンボルストリームを処理して出力サンプルストリームを取得し得る。各変調器１４３２は、アップリンク信号を得るために出力サンプルストリームをさらに処理（たとえば、アナログに変換、増幅、フィルタ処理、およびアップコンバート）し得る。変調器１４３２ａ〜１４３２ｔからのＴ個のアップリンク信号は、それぞれＴ個のアンテナ１４３４ａ〜１４３４ｔを介して送信される。
【００９３】
[0091]ＵＥ１１０において、アンテナ１４５２ａから１４５２ｒは、ｅＮＢ１３０および他のｅＮＢからダウンリンク信号を受信し、受信した信号をそれぞれ復調器（ＤＥＭＯＤ）１４５４ａから１４５４ｒに提供し得る。各復調器１４５４は、受信したサンプルを得るために、それぞれの受信した信号を調整（たとえば、フィルタ処理、増幅、ダウンコンバート、およびデジタル化）し得る。各復調器１４５４は、受信したシンボルを得るために、受信したサンプルをさらに処理し得る。ＭＩＭＯ検出器１４５６は、すべてのＲ個の復調器１４５４ａから１４５４ｒから、受信したシンボルを取得し得、検出したシンボルを得るために、受信したシンボルに対してＭＩＭＯ検出を実施し得る。受信プロセッサ１４５８は、検出されたシンボルを処理（たとえば、シンボルデマッピング、デインターリーブ、および復号）し、復号されたデータをデータシンク１４６０に与え、復号された制御情報をコントローラ／プロセッサ１４８０に与え得る。
【００９４】
[0092]アップリンク上で、ＵＥ１１０において、データソース１４６２からのデータと、コントローラ／プロセッサ１４８０からの制御情報（たとえば、ＡＣＫ／ＮＡＣＫ、ＣＳＩなど）が、送信プロセッサ１４６４によって処理され、適用可能な場合はＴＸ  ＭＩＭＯプロセッサ１４６６によってプリコーディングされ、変調器１４５４ａから１４５４ｒによって調整され、ｅＮＢ１３０および他のｅＮＢに送信され得る。ｅＮＢ１３０において、ＵＥ１１０および他のＵＥからのアップリンク信号は、アンテナ１４３４によって受信され、復調器１４３２によって調整され、ＭＩＭＯ検出器１４３６によって処理され、さらに受信プロセッサ１４３８によって処理されて、ＵＥ１１０および他のＵＥによって送られたデータおよび制御情報が取得され得る。プロセッサ１４３８は、復号したデータをデータシンク１４３９に、復号した制御情報をコントローラ／プロセッサ１４４０に提供し得る。
【００９５】
[0093]コントローラ／プロセッサ１４４０および１４８０は、それぞれｅＮＢ１３０およびＵＥ１１０における動作を指示し得る。メモリ１４４２および１４８２は、それぞれｅＮＢ１３０およびＵＥ１１０についてのデータおよびプログラムコードを格納し得る。スケジューラ１４４４は、ＵＥ１１０および他のＵＥをダウンリンクおよびアップリンク上のデータ送信用にスケジュールし得、スケジュールされたＵＥにリソースを割り当て得る。ｅＮＢ１３０におけるプロセッサ１４４０および／または他のプロセッサおよびモジュールは、図４Ａから図８のｅＮＢ１３０によって実施される動作、図９のプロセス９００、図１２のプロセス１２００、および／または本明細書で説明する技法についての他のプロセスを実施または指示し得る。ＵＥ１１０におけるプロセッサ１４８０および／または他のプロセッサおよびモジュールは、図４Ａから図８のＵＥ１１０の動作、図１０のプロセス１０００、図１１のプロセス１１００、図１３のプロセス１３００、および／または本明細書で説明する技法についての他のプロセスを実施または指示し得る。
【００９６】
[0094]ｅＮＢ１３２は、ｅＮＢ１３０と同様の方法で実装され得る。ｅＮＢ１３２における１つまたは複数のプロセッサおよび／またはモジュールは、図４Ａから図８のｅＮＢ１３２によって実施される動作、プロセス９００および１２００、および／または本明細書で説明する技法についての他のプロセスを実施または指示し得る。
【００９７】
[0095]様々な異なる技術および技法のいずれかを使用して情報および信号が表現され得ることを当業者なら理解されよう。たとえば、上記の説明全体にわたって参照され得るデータ、命令、コマンド、情報、信号、ビット、シンボル、およびチップは、電圧、電流、電磁波、磁場または粒子、光場または光粒子、あるいはそれらの任意の組合せによって表現され得る。
【００９８】
[0096]本明細書で本開示に関連して説明した様々な例示的論理ブロック、モジュール、回路、およびアルゴリズムステップが、電子ハードウェア、コンピュータソフトウェア、または両方の組合せとして実装され得ることを当業者ならさらに理解されよう。ハードウェアとソフトウェアのこの互換性を明確に示すために、様々な例示的構成要素、ブロック、モジュール、回路、およびステップが、上記ではその機能に関して一般的に説明された。そのような機能がハードウェアとして実装されるか、それともソフトウェアとして実装されるかは、特定の応用分野およびシステム全体に対して課される設計制限に依存する。当業者は、各々の特定の応用分野について説明された機能を様々な方式で実装し得るが、そのような実装決定は、本開示の範囲からの逸脱を引き起こすと解釈されるべきではない。
【００９９】
[0097]本明細書で開示する実施形態に関連して説明される様々な例示的論理ブロック、モジュール、および回路は、本明細書で説明する機能を実施するように設計された汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタロジック、ディスクリートハードウェア構成要素、あるいはそれらの任意の組合せと共に実装または実施され得る。汎用プロセッサはマイクロプロセッサであり得るが、代替実施形態では、プロセッサは、任意の従来型プロセッサ、コントローラ、マイクロコントローラ、または状態機械であり得る。プロセッサはまた、コンピューティングデバイスの組合せ、たとえばＤＳＰとマイクロプロセッサの組合せ、複数のマイクロプロセッサ、１つまたは複数のマイクロプロセッサとＤＳＰコア、あるいは任意の他のそのような構成として実装され得る。
【０１００】
[0098]本明細書で開示される実施形態に関連して説明される方法またはアルゴリズムのステップは、ハードウェアで直接的に、プロセッサによって実行されるソフトウェアモジュールで、またはその２つ組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、取外し可能ディスク、ＣＤ−ＲＯＭ、または当技術分野で周知の任意の他の形態の記憶媒体内に常駐し得る。例示的記憶媒体は、プロセッサが記憶媒体から情報を読み取り、記憶媒体に情報を書き込むことができるようにプロセッサに結合される。代替実施形態では、記憶媒体はプロセッサと一体であり得る。プロセッサおよび記憶媒体はＡＳＩＣ内にあり得る。ＡＳＩＣはユーザ端末内にあり得る。代替実施形態では、プロセッサおよび記憶媒体は、ユーザ端末内に別個の構成要素としてあり得る。
【０１０１】
[0099]１つまたは複数の例示的設計では、説明される機能は、ハードウェア、ソフトウェア、ファームウェア、またはそれらの任意の組合せで実装され得る。ソフトウェアで実装される場合、機能は、コンピュータ可読記憶媒体上に１つまたは複数の命令またはコードとして格納または送信され得る。コンピュータ可読媒体は、ある場所から別の場所へのコンピュータプログラムの転送を容易にする任意の媒体を含む、コンピュータ記憶媒体と通信媒体の両方を含む。記憶媒体は、汎用または専用コンピュータによってアクセスされ得る任意の入手可能な媒体であり得る。限定ではなく例として、そのようなコンピュータ可読媒体は、ＲＡＭ、ＲＯＭ、ＥＥＰＲＯＭ、ＣＤ−ＲＯＭ、または他の光ディスクストレージ、磁気ディスクストレージまたは他の磁気記憶デバイス、あるいは命令またはデータ構造の形態の所望のプログラムコード手段を搬送または格納するために使用され得、汎用もしくは専用コンピュータ、または汎用もしくは専用プロセッサによってアクセスされ得る任意の他の媒体を備え得る。さらに、任意の接続がコンピュータ可読媒体と適切に呼ばれる。たとえば、ソフトウェアが、同軸ケーブル、光ファイバケーブル、撚線対、デジタル加入者線（ＤＳＬ）、または赤外線、無線、マイクロ波などのワイヤレス技術を使用して、ウェブサイト、サーバ、または他のリモートソースから送信される場合、同軸ケーブル、光ファイバケーブル、撚線対、ＤＳＬ、または赤外線、無線、マイクロ波などのワイヤレス技術が、媒体の定義に含まれる。本明細書では、ディスク（ｄｉｓｋ）およびディスク（ｄｉｓｃ）は、コンパクトディスク（ｄｉｓｃ）（ＣＤ）、レーザディスク（登録商標）（ｄｉｓｃ）、光ディスク（ｄｉｓｃ）、デジタルバーサタイルディスク（ｄｉｓｃ）（ＤＶＤ）、フロッピー（登録商標）ディスク（ｄｉｓｋ）、およびブルーレイ（登録商標）ディスク（ｄｉｓｃ）を含み、ディスク（ｄｉｓｋ）は通常、データを磁気的に再現し、一方、ディスク（ｄｉｓｃ）は通常、データをレーザで光学的に再現する。上記の組合せもコンピュータ可読媒体の範囲内に含まれるべきである。
【０１０２】
[00100]開示される実施形態の先の説明は、当業者が本開示を作成または使用することを可能にするために提供される。本開示に対する様々な修正は当業者には容易に明らかとなり、本明細書で定義される一般原理は、本開示の精神または範囲から逸脱することなく他の変形形態に適用され得る。したがって、本開示は、本明細書に示される例および設計に限定されるものではなく、本明細書で開示される原理および新規な特徴と一致する最も広い範囲が与えられるべきである。
【図１】
2016522606.tif 000004
【図２】
2016522606.tif 000005
【図３】
2016522606.tif 000006
【図４Ａ】
2016522606.tif 000007
【図４Ｂ】
2016522606.tif 000008
【図５Ａ】
2016522606.tif 000009
【図５Ｂ】
2016522606.tif 000010
【図６】
2016522606.tif 000011
【図７Ａ】
2016522606.tif 000012
【図７Ｂ】
2016522606.tif 000013
【図８】
2016522606.tif 000014
【図９】
2016522606.tif 000015
【図１０】
2016522606.tif 000016
【図１１】
2016522606.tif 000017
【図１２】
2016522606.tif 000018
【図１３】
2016522606.tif 000019
【図１４】
2016522606.tif 000020
【国際調査報告】
2016522606.tif 000021
2016522606.tif 000022
2016522606.tif 000023
2016522606.tif 000024
2016522606.tif 000025